(57)【要約】  無線通信システムにおいて、特にＮＲ（ｎｅｗ  ｒａｄｉｏ  ａｃｃｅｓｓ  ｔｅｃｈｎｏｌｏｇｙ）におけるＳＦＩ（ｓｌｏｔ  ｆｏｒｍａｔｉｏｎ  ｉｎｄｉｃａｔｉｏｎ）を構成する方法及び装置が提供される。端末（ＵＥ；ｕｓｅｒ  ｅｑｕｉｐｍｅｎｔ）は、アンペアド（ｕｎｐａｉｒｅｄ）搬送波のための第１のＳＦＩ（ｓｌｏｔ  ｆｏｒｍａｔｉｏｎ  ｉｎｄｉｃａｔｉｏｎ）をネットワークから受信し、前記第１のＳＦＩに基づいて前記アンペアド搬送波で第１のスロットを構成し、ＳＵＬ（ｓｕｐｐｌｅｍｅｎｔａｌ  ｕｐｌｉｎｋ）の搬送波のための第２のＳＦＩを前記ネットワークから受信し、前記第２のＳＦＩに基づいて前記ＳＵＬの搬送波で第２のスロットを構成する。前記第１のＳＦＩと前記第２のＳＦＩは別個の情報である。【選択図】図９
2021500819.tif 000002
【特許請求の範囲】
【請求項１】
無線通信システムにおける端末（ＵＥ；user equipment）が動作する方法において、
アンペアド（unpaired）搬送波のための第１のＳＦＩ（slot formation indication）をネットワークから受信し、
前記第１のＳＦＩに基づいて前記アンペアド搬送波で第１のスロットを構成し、
ＳＵＬ（supplemental uplink）の搬送波のための第２のＳＦＩを前記ネットワークから受信し、
前記第２のＳＦＩに基づいて前記ＳＵＬの搬送波で第２のスロットを構成することを含み、
前記第１のＳＦＩと前記第２のＳＦＩは、別個の情報である、方法。
【請求項２】
前記第１のＳＦＩと前記第２のＳＦＩは、同一のＤＬスペクトルを介して受信される、請求項１に記載の方法。
【請求項３】
前記同一のＤＬスペクトルは、前記アンペアド搬送波のＤＬスペクトルである、請求項２に記載の方法。
【請求項４】
前記アンペアド搬送波のＤＬスペクトルは、前記ＳＵＬの搬送波と関連する、請求項３に記載の方法。
【請求項５】
前記ＳＵＬの搬送波は、ＦＤＤ（frequency division duplex）を使用する、請求項１に記載の方法。
【請求項６】
無線通信システムにおける端末（ＵＥ；user equipment）において、
メモリと、
送受信部と、
前記メモリ及び送受信部と連結されるプロセッサとを含み、
前記プロセッサは、
アンペアド（unpaired）搬送波のための第１のＳＦＩ（slot formation indication）をネットワークから受信するように前記送受信部を制御し、
前記第１のＳＦＩに基づいて前記アンペアド搬送波で第１のスロットを構成し、
ＳＵＬ（supplemental uplink）搬送波のための第２のＳＦＩを前記ネットワークから受信するように前記送受信部を制御し、
前記第２のＳＦＩに基づいて前記ＳＵＬの搬送波で第２のスロットを構成し、
前記第１のＳＦＩと前記第２のＳＦＩは、別個の情報である、端末。
【請求項７】
前記第１のＳＦＩと前記第２のＳＦＩは、同一のＤＬスペクトルを介して受信される、請求項６に記載の端末。
【請求項８】
前記同一のＤＬスペクトルは、前記アンペアド搬送波のＤＬスペクトルである、請求項７に記載の端末。
【請求項９】
前記アンペアド搬送波のＤＬスペクトルは、前記ＳＵＬの搬送波と関連する、請求項８に記載の端末。
【請求項１０】
前記ＳＵＬの搬送波はＦＤＤ（frequency division duplex）を使用する、請求項６に記載の端末。
【請求項１１】
無線通信システムにおける基地局（ＢＳ；base station）が動作する方法において、
アンペアド（unpaired）搬送波のための第１のＳＦＩ（slot formation indication）を端末（ＵＥ；user equipment）へ送信し、
ＳＵＬ（supplemental uplink）の搬送波のための第２のＳＦＩを前記ＵＥへ送信することを含み、
前記第１のＳＦＩと前記第２のＳＦＩは、別個の情報である、方法。
【請求項１２】
前記第１のＳＦＩと前記第２のＳＦＩは、同一のＤＬスペクトルを介して送信される、請求項１１に記載の方法。
【請求項１３】
前記同一のＤＬスペクトルは、前記アンペアド搬送波のＤＬスペクトルである、請求項１２に記載の方法。
【請求項１４】
前記アンペアド搬送波のＤＬスペクトルは、前記ＳＵＬの搬送波と関連する、請求項１３に記載の方法。
【請求項１５】
前記ＳＵＬの搬送波はＦＤＤ（frequency division duplex）を使用する、請求項１１に記載の方法。
【発明の詳細な説明】
【技術分野】
【０００１】
本発明は、無線通信に関し、より詳細には無線通信システム、特に、ＮＲ（ｎｅｗ  ｒａｄｉｏ  ａｃｃｅｓｓ  ｔｅｃｈｎｏｌｏｇｙ）でグループ共通のＤＣＩ（ｄｏｗｎｌｉｎｋ  ｃｏｎｔｒｏｌ  ｉｎｆｏｒｍａｔｉｏｎ）に従って動作する方法及び装置に関する。
【背景技術】
【０００２】
３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）は、高速パケット通信を可能とするための技術である。ＬＴＥの目標であるユーザと事業者の費用節減、サービス品質向上、カバレッジ拡張及びシステム容量増大のために多くの方式が提案された。３ＧＰＰ  ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
ＩＴＵ（ｉｎｔｅｒｎａｔｉｏｎａｌ  ｔｅｌｅｃｏｍｍｕｎｉｃａｔｉｏｎ  ｕｎｉｏｎ）及び３ＧＰＰでＮＲ（ｎｅｗ  ｒａｄｉｏ  ａｃｃｅｓｓ  ｔｅｃｈｎｏｌｏｇｙ）システムに対する要求事項及び仕様を開発する作業が始まった。ＮＲシステムは、ｎｅｗ  ＲＡＴなどの他の名称で呼ばれることもある。３ＧＰＰは、緊急な市場の要求とＩＴＵ−Ｒ（ＩＴＵ  ｒａｄｉｏ  ｃｏｍｍｕｎｉｃａｔｉｏｎ  ｓｅｃｔｏｒ）ＩＭＴ（ｉｎｔｅｒｎａｔｉｏｎａｌ  ｍｏｂｉｌｅ  ｔｅｌｅｃｏｍｍｕｎｉｃａｔｉｏｎｓ）−２０２０プロセスが提示するより長期的な要求事項を全て適時に満たすＮＲの標準化を成功させるために必要な技術構成要素を識別して開発しなければならない。また、ＮＲは、遠い未来にも無線通信のために利用されることができる少なくとも１００ＧＨｚに達する任意のスペクトラム帯域が使用可能でなければならない。
【０００４】
ＮＲは、ｅＭＢＢ（ｅｎｈａｎｃｅｄ  ｍｏｂｉｌｅ  ｂｒｏａｄｂａｎｄ）、ｍＭＴＣ（ｍａｓｓｉｖｅ  ｍａｃｈｉｎｅ−ｔｙｐｅ−ｃｏｍｍｕｎｉｃａｔｉｏｎｓ）、ＵＲＬＬＣ（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎｓ）などを含む全ての配置シナリオ、使用シナリオ、要求事項を扱う単一技術フレームワークを対象とする。ＮＲは、本質的に前方互換性があるべきである。
【０００５】
ＮＲの初期接続は、ダウンリンクの初期同期及びシステム情報取得と、ランダムアクセス手順を介してのＲＲＣ（ｒａｄｉｏ  ｒｅｓｏｕｒｃｅ  ｃｏｎｔｒｏｌ）接続とを目的とし、これは、基本的に３ＧＰＰ  ＬＴＥ／ＬＴＥ−Ａの初期接続技術の目的と同様である。これとともに、ＮＲは、多重ビーム送信及び広帯域を支援するための様々な要素技術を初期接続段階から含んでいる。
【０００６】
ＮＲは、様々なスロット長、ミニスロットの使用、且つ互いに異なる副搬送波間隔を使用する送信方式に対してシンボルレベルの時間整列を使用することによって、時間領域と周波数領域でｅＭＢＢ、ＵＲＬＬＣ等の様々なサービスを効率的に多重化させることができる柔軟性を提供する。また、ＮＲはＬＴＥとは異なり、アップリンク／ダウンリンクのリソース割り当てを１つのスロット内でシンボルレベルで定義した。ＨＡＲＱ（ｈｙｂｒｉｄ  ａｕｔｏｍａｔｉｃ  ｒｅｐｅａｔ  ｒｅｑｕｅｓｔ）の遅延を減らすために、送信スロット内で直ぐにＨＡＲＱ  ＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）を送信することができるスロット構造が定義され、このようなスロット構造を自己完結型（ｓｅｌｆ−ｃｏｎｔａｉｎｅｄ）構造と呼ぶ。また、既存のＬＴＥと異なり、ＮＲでは様々なスロットの組み合わせを介してＦＤＤ（ｆｒｅｑｕｅｎｃｙ  ｄｉｖｉｓｉｏｎ  ｄｕｐｌｅｘ）又はＴＤＤ（ｔｉｍｅ  ｄｉｖｉｓｉｏｎ  ｄｕｐｌｅｘ）フレームを構成する共通のフレーム構造を支援する。さらに、動的ＴＤＤ方式を導入し、トラフィック特性によって個々のセルの送信方向を自由に動的に調節できるようにした。
【発明の概要】
【発明が解決しようとする課題】
【０００７】
ＮＲでは、スロット構造に対する情報を送信するために、グループ共通の制御チャネルを定義する。スロット構造に対する情報がグループ共通の制御チャネル上でＤＣＩ（ｄｏｗｎｌｉｎｋ  ｃｏｎｔｒｏｌ  ｉｎｆｏｒｍａｔｉｏｎ）を介して送信されることができる。本発明は、グループ共通の制御チャネル及び／又はＤＣＩに関するＵＥの動作に対して議論する。
【課題を解決するための手段】
【０００８】
一態様において、無線通信システムにおける端末（ＵＥ；ｕｓｅｒ  ｅｑｕｉｐｍｅｎｔ）が動作する方法が提供される。前記方法は、アンペアド（ｕｎｐａｉｒｅｄ）搬送波のための第１のＳＦＩ（ｓｌｏｔ  ｆｏｒｍａｔｉｏｎ  ｉｎｄｉｃａｔｉｏｎ）をネットワークから受信し、前記第１のＳＦＩに基づいて前記アンペアド搬送波で第１のスロットを構成し、ＳＵＬ（ｓｕｐｐｌｅｍｅｎｔａｌ  ｕｐｌｉｎｋ）の搬送波のための第２のＳＦＩを前記ネットワークから受信し、前記第２のＳＦＩに基づいて前記ＳＵＬの搬送波で第２のスロットを構成することを含む。前記第１のＳＦＩと前記第２のＳＦＩは別個の情報である。
【０００９】
別の態様において、無線通信システムにおける端末（ＵＥ；ｕｓｅｒ  ｅｑｕｉｐｍｅｎｔ）が提供される。前記ＵＥは、メモリと、送受信部と、前記メモリ及び送受信部と連結されるプロセッサとを含む。前記プロセッサは、アンペアド（ｕｎｐａｉｒｅｄ）搬送波のための第１のＳＦＩ（ｓｌｏｔ  ｆｏｒｍａｔｉｏｎ  ｉｎｄｉｃａｔｉｏｎ）をネットワークから受信するように前記送受信部を制御し、前記第１のＳＦＩに基づいて前記アンペアド搬送波で第１のスロットを構成し、ＳＵＬ（ｓｕｐｐｌｅｍｅｎｔａｌ  ｕｐｌｉｎｋ）の搬送波のための第２のＳＦＩを前記ネットワークから受信するように前記送受信部を制御し、前記第２のＳＦＩに基づいて前記ＳＵＬの搬送波で第２のスロットを構成する。前記第１のＳＦＩと前記第２のＳＦＩは別個の情報である。
【００１０】
別の態様において、無線通信システムにおける基地局（ＢＳ；ｂａｓｅ  ｓｔａｔｉｏｎ）が動作する方法が提供される。前記方法は、アンペアド（ｕｎｐａｉｒｅｄ）搬送波のための第１のＳＦＩ（ｓｌｏｔ  ｆｏｒｍａｔｉｏｎ  ｉｎｄｉｃａｔｉｏｎ）を端末（ＵＥ；ｕｓｅｒ  ｅｑｕｉｐｍｅｎｔ）へ送信し、ＳＵＬ（ｓｕｐｐｌｅｍｅｎｔａｌ  ｕｐｌｉｎｋ）の搬送波のための第２のＳＦＩを前記ＵＥへ送信することを含む。前記第１のＳＦＩと前記第２のＳＦＩは別個の情報である。
【発明の効果】
【００１１】
ＵＥがスロット構造に対する情報を効率的に受信することができる。
【図面の簡単な説明】
【００１２】
【図１】本発明の技術的特徴が適用できる無線通信システムの一例を示す。
【図２】本発明の技術的特徴が適用できる無線通信システムの別の例を示す。
【図３】本発明の技術的特徴が適用できるフレーム構造の一例を示す。
【図４】本発明の技術的特徴が適用できるフレーム構造の別の例を示す。
【図５】本発明の技術的特徴が適用できるリソースグリッドの一例を示す。
【図６】本発明の技術的特徴が適用できる同期化チャネルの一例を示す。
【図７】本発明の技術的特徴が適用できる周波数割り当て方式の一例を示す。
【図８】本発明の技術的特徴が適用できる多重ＢＷＰの一例を示す。
【図９】本発明の一実施例に係るＵＥが動作する方法を示す。
【図１０】本発明の実施例が実現されるＵＥを示す。
【図１１】本発明の一実施例に係るＢＳが動作する方法を示す。
【図１２】本発明の実施例が実現されるＢＳを示す。
【発明を実施するための形態】
【００１３】
以下で説明する技術的特徴は、３ＧＰＰ（３ｒｄ  ｇｅｎｅｒａｔｉｏｎ  ｐａｒｔｎｅｒｓｈｉｐ  ｐｒｏｊｅｃｔ）の標準化機構による通信規格や、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）の標準化機構による通信規格等で使用されることができる。例えば、３ＧＰＰの標準化機構による通信規格は、ＬＴＥ（ｌｏｎｇ  ｔｅｒｍ  ｅｖｏｌｕｔｉｏｎ）及び／又はＬＴＥシステムの進化を含む。ＬＴＥシステムの進化は、ＬＴＥ−Ａ（ａｄｖａｎｃｅｄ）、ＬＴＥ−Ａ  Ｐｒｏ、及び／又は５Ｇ  ＮＲ（ｎｅｗ  ｒａｄｉｏ）を含む。ＩＥＥＥの標準化機構による通信規格は、ＩＥＥＥ  ８０２．１１ａ／ｂ／ｇ／ｎ／ａｃ／ａｘなどのＷＬＡＮ（ｗｉｒｅｌｅｓｓ  ｌｏｃａｌ  ａｒｅａ  ｎｅｔｗｏｒｋ）システムを含む。前述したシステムは、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、及び／又はＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などの多様な多重アクセス技術をダウンリンク（ＤＬ；ｄｏｗｎｌｉｎｋ）及び／又はアップリンク（ＵＬ；ｕｐｌｉｎｋ）に使用する。例えば、ＤＬにはＯＦＤＭＡのみを使用し、ＵＬにはＳＣ−ＦＤＭＡのみが使用されることができる。或いは、ＤＬ及び／又はＵＬにＯＦＤＭＡとＳＣ−ＦＤＭＡとを混用することもある。
【００１４】
図１は、本発明の技術的特徴が適用されることができる無線通信システムの一例を示す。具体的に、図１は、Ｅ−ＵＴＲＡＮ（ｅｖｏｌｖｅｄ−ｕｎｉｖｅｒｓａｌ  ｔｅｒｒｅｓｔｒｉａｌ  ｒａｄｉｏ  ａｃｃｅｓｓ  ｎｅｔｗｏｒｋ）をベースとするシステムアーキテクチャである。前述したＬＴＥは、Ｅ−ＵＴＲＡＮを使用するＥ−ＵＭＴＳ（ｅｖｏｌｖｅｄ−ＵＭＴＳ）の一部である。
【００１５】
図１を参照すると、無線通信システムは、一つ以上のＵＥ（ｕｓｅｒ  ｅｑｕｉｐｍｅｎｔ）１０、Ｅ−ＵＴＲＡＮ及びＥＰＣ（ｅｖｏｌｖｅｄ  ｐａｃｋｅｔ  ｃｏｒｅ）を含む。ＵＥ１０は、ユーザが携帯する通信装置をいう。ＵＥ１０は、固定されるか、又は移動性を有することができ、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器等の別の用語で呼ばれ得る。
【００１６】
Ｅ−ＵＴＲＡＮは、一つ以上のＢＳ（ｂａｓ  ｓｔａｔｉｏｎ）２０で構成される。ＢＳ２０は、ＵＥ１０に向けたＥ−ＵＴＲＡユーザプレーン及びコントロールプレーンプロトコルの終端を提供する。ＢＳ２０は、一般にＵＥ１０と通信する固定された地点（ｆｉｘｅｄ  ｓｔａｔｉｏｎ）をいう。ＢＳ２０は、セル間の無線リソース管理（ＲＲＭ；ｒａｄｉｏ  ｒｅｓｏｕｒｃｅ  ｍａｎａｇｅｍｅｎｔ）、無線ベアラ（ＲＢ；ｒａｄｉｏ  ｂｅａｒｅｒ）制御、接続移動性制御、無線承認制御、測定の構成／提供、動的リソース割り当て（スケジューラ）などのような機能をホストする。ＢＳ２０は、ｅＮＢ（ｅｖｏｌｖｅｄ  ＮｏｄｅＢ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等の別の用語で呼ばれ得る。
【００１７】
ダウンリンク（ＤＬ；ｄｏｗｎｌｉｎｋ）は、ＢＳ２０からＵＥ１０への通信を示す。アップリンク（ＵＬ；ｕｐｌｉｎｋ）は、ＵＥ１０からＢＳ２０への通信を示す。サイドリンク（ＳＬ；ｓｉｄｅｌｉｎｋ）は、ＵＥ１０間の通信を示す。ＤＬで、送信機はＢＳ２０の一部であってもよく、受信機はＵＥ１０の一部であってもよい。ＵＬで、送信機はＵＥ１０の一部であってもよく、受信機はＢＳ２０の一部であってもよい。ＳＬで、送信機及び受信機は、ＵＥ１０の一部であってもよい。
【００１８】
ＥＰＣは、ＭＭＥ（ｍｏｂｉｌｉｔｙ  ｍａｎａｇｅｍｅｎｔ  ｅｎｔｉｔｙ）、Ｓ−ＧＷ（ｓｅｒｖｉｎｇ  ｇａｔｅｗａｙ）及びＰ−ＧＷ（ｐａｃｋｅｔ  ｄａｔａ  ｎｅｔｗｏｒｋ（ＰＤＮ）ｇａｔｅｗａｙ）を含む。ＭＭＥは、ＮＡＳ（ｎｏｎ−ａｃｃｅｓｓ  ｓｔｒａｔｕｍ）セキュリティ、アイドル状態の移動性処理、ＥＰＳ（ｅｖｏｌｖｅｄ  ｐａｃｋｅｔ  ｓｙｓｔｅｍ）ベアラ制御等のような機能をホストする。Ｓ−ＧＷは、移動性アンカリングなどのような機能をホストする。Ｓ−ＧＷは、Ｅ−ＵＴＲＡＮを終端点として有するゲートウェイである。便宜上、ＭＭＥ／Ｓ−ＧＷ３０は、単純に「ゲートウェイ」と言及されるが、この個体は、ＭＭＥ及びＳ−ＧＷを全て含むものと理解される。Ｐ−ＧＷは、ＵＥ  ＩＰ（Ｉｎｔｅｒｎｅｔ  ｐｒｏｔｏｃｏｌ）アドレスの割り当て、パケットフィルタリング等のような機能をホストする。Ｐ−ＧＷは、ＰＤＮを終端点として有するゲートウェイである。Ｐ−ＧＷは、外部のネットワークに連結される。
【００１９】
ＵＥ１０は、ＵｕインターフェースによってＢＳ２０に連結される。ＵＥ１０は、ＰＣ５インターフェースによって互いに相互に連結される。ＢＳ２０は、Ｘ２インターフェースによって互いに相互に連結される。ＢＳ２０は、また、Ｓ１インターフェースを介してＥＰＣに連結される。より具体的には、ＭＭＥに、Ｓ１−ＭＭＥインターフェースにより、且つＳ−ＧＷにＳ１−Ｕインターフェースにより連結される。Ｓ１インターフェースは、ＭＭＥ／Ｓ−ＧＷとＢＳ間の多対多の関係を支援する。
【００２０】
図２は、本発明の技術的特徴が適用されることができる無線通信システムの別の例を示す。具体的に、図２は、５Ｇ  ＮＲ（ｎｅｗ  ｒａｄｉｏ  ａｃｃｅｓｓ  ｔｅｃｈｎｏｌｏｇｙ）システムに基づいたシステムアーキテクチャを示す。５Ｇ  ＮＲシステム（以下、簡単に「ＮＲ」と称する）で使用される個体は、図１で紹介された個体（例えば、ｅＮＢ、ＭＭＥ、Ｓ−ＧＷ）の一部または全ての機能を吸収することができる。ＮＲシステムで使用される個体は、ＬＴＥと区別するために、「ＮＧ」という名称で識別されることができる。
【００２１】
図２を参照すると、無線通信システムは、一つ以上のＵＥ１１、ＮＧ−ＲＡＮ（ｎｅｘｔ−ｇｅｎｅｒａｔｉｏｎ  ＲＡＮ）及び第５世代コアネットワーク（５ＧＣ）を含む。ＮＧ−ＲＡＮは、少なくとも一つのＮＧ−ＲＡＮノードで構成される。ＮＧ−ＲＡＮノードは、図１に示されたＢＳ２０に対応する個体である。ＮＧ−ＲＡＮノードは、少なくとも一つのｇＮＢ２１及び／又は少なくとも一つのｎｇ−ｅＮＢ２２で構成される。ｇＮＢ２１は、ＵＥ１１に向けたＮＲユーザプレーン及びコントロールプレーンプロトコルの終端を提供する。Ｎｇ−ｅＮＢ２２は、ＵＥ１１に向けたＥ−ＵＴＲＡユーザプレーン及びコントロールプレーンプロトコルの終端を提供する。
【００２２】
５ＧＣは、ＡＭＦ（ａｃｃｅｓｓ  ａｎｄ  ｍｏｂｉｌｉｔｙ  ｍａｎａｇｅｍｅｎｔ  ｆｕｎｃｔｉｏｎ）、ＵＰＦ（ｕｓｅｒ  ｐｌａｎｅ  ｆｕｎｃｔｉｏｎ）及びＳＭＦ（ｓｅｓｓｉｏｎ  ｍａｎａｇｅｍｅｎｔ  ｆｕｎｃｔｉｏｎ）を含む。ＡＭＦは、ＮＡＳセキュリティ、アイドル状態の移動性処理などのような機能をホストする。ＡＭＦは、従来のＭＭＥの機能を含む個体である。ＵＰＦは、移動性アンカリング、ＰＤＵ（ｐｒｏｔｏｃｏｌ  ｄａｔａ  ｕｎｉｔ）処理のような機能をホストする。ＵＰＦは、従来のＳ−ＧＷの機能を含む個体である。ＳＭＦは、ＵＥ  ＩＰアドレスの割り当て、ＰＤＵセッションの制御のような機能をホストする。
【００２３】
ｇＮＢとｎｇ−ｅＮＢは、Ｘｎインターフェースを介して相互に連結される。ｇＮＢ及びｎｇ−ｅＮＢは、また、ＮＧインターフェースを介して５ＧＣに連結される。より具体的には、ＮＧ−Ｃインターフェースを介してＡＭＦに、且つＮＧ−Ｕインターフェースを介してＵＰＦに連結される。
【００２４】
ＮＲにおける無線フレームの構造が説明される。ＬＴＥ／ＬＴＥ−Ａにおける１つの無線フレームは、１０個のサブフレームで構成され、１つのサブフレームは２個のスロットで構成される。１つのサブフレームの長さは１ｍｓであってもよく、１つのスロットの長さは０．５ｍｓであってもよい。１つの送信ブロックを上位層から物理層に送信する時間（一般的に１つのサブフレームにわたって）は、ＴＴＩ（ｔｒａｎｓｍｉｓｓｉｏｎ  ｔｉｍｅ  ｉｎｔｅｒｖａｌ）で定義される。ＴＴＩはスケジューリングの最小単位であり得る。
【００２５】
ＬＴＥ／ＬＴＥ−Ａと異なり、ＮＲは様々なヌメロロジーを支援するので、よって、無線フレームの構造が様々であり得る。ＮＲは周波数領域で種々の副搬送波間隔を支援する。表１は、ＮＲで支援される種々のヌメロロジーを示す。各ヌメロロジーは、インデックスμにより識別されることができる。
【００２６】
【表１】
2021500819.tif 000003
【００２７】
表１を参照すると、副搬送波間隔は、インデックスμで識別される１５、３０、６０、１２０、及び２４０ｋＨｚのうちの一つに設定されることができる。しかし、表１に示す副搬送波間隔は単に例示的なものであり、特定の副搬送波間隔は変更し得る。従って、各々の副搬送波間隔（例えば、μ＝０、１．．．４）は、第１副搬送波間隔、第２副搬送波間隔．．．Ｎ番目の副搬送波間隔で表現され得る。表１を参照すると、副搬送波間隔によって、ユーザデータ（例えば、ＰＵＳＣＨ（ｐｈｙｓｉｃａｌ  ｕｐｌｉｎｋ  ｓｈａｒｅｄ  ｃｈａｎｎｅｌ）、ＰＤＳＣＨ（ｐｈｙｓｉｃａｌ  ｄｏｗｎｌｉｎｋ  ｓｈａｒｅｄ  ｃｈａｎｎｅｌ））の送信が支援されなくてもよい。即ち、ユーザデータの送信は、少なくとも一つの特定の副搬送波間隔（例えば、２４０ｋＨｚ）でのみ支援されなくてもよい。
【００２８】
また、表１を参照すると、副搬送波間隔によって同期チャネル（ＰＳＳ（ｐｒｉｍａｒｙ  ｓｙｎｃｈｒｏｎｉｚａｔｉｏｎ  ｓｉｇｎａｌ）、ＳＳＳ（ｓｅｃｏｎｄａｒｙ  ｓｙｎｃｈｒｏｎｉｚａｔｉｏｎ  ｓｉｇｎａｌ）、ＰＢＣＨ（ｐｈｙｓｉｃａｌ  ｂｒｏａｄｃａｓｔｉｎｇ  ｃｈａｎｎｅｌ）が支援されなくてもよい。即ち、同期チャネルは、少なくとも一つの特定の副搬送波間隔（例えば、６０ｋＨｚ）でのみ支援されなくてもよい。
【００２９】
ＮＲでは、１つの無線フレーム／サブフレームに含まれるスロットの個数及びシンボルの個数は、様々なヌメロロジー、即ち、様々な副搬送波間隔によって異なり得る。表２は、スロット当たりのＯＦＤＭシンボルの個数、無線フレーム当たりのスロットの個数、及び一般ＣＰ（ｃｙｃｌｉｃ  ｐｒｅｆｉｘ）でサブフレーム当たりのスロットの個数の例を示す。
【００３０】
【表２】
2021500819.tif 000004
【００３１】
表２を参照すると、μ＝０に対応する第１ヌメロロジーが適用されると、１つの無線フレームは１０個のサブフレームを含み、１つのサブフレームは１つのスロットに対応し、１つのスロットは１４個のシンボルで構成される。本明細書において、シンボルは特定の時間間隔の間に送信される信号を示す。例えば、シンボルは、ＯＦＤＭ処理により生成された信号を示すことができる。即ち、本明細書において、シンボルはＯＦＤＭ／ＯＦＤＭＡシンボル又はＳＣ−ＦＤＭＡシンボル等を称し得る。ＣＰは、各シンボルの間に位置し得る。図３は、本発明の技術的特徴が適用できるフレーム構造の一例を示す。図３において、副搬送波間隔は１５ｋＨｚであり、これはμ＝０に対応する。
【００３２】
図４は、本発明の技術的特徴が適用できるフレーム構造の別の例を示す。図４において、副搬送波間隔は３０ｋＨｚであり、これはμ＝１に対応する。
【００３３】
一方、本発明の実施例が適用される無線通信システムには、ＦＤＤ（ｆｒｅｑｕｅｎｃｙ  ｄｉｖｉｓｉｏｎ  ｄｕｐｌｅｘ）及び／又はＴＤＤ（ｔｉｍｅ  ｄｉｖｉｓｉｏｎ  ｄｕｐｌｅｘ）が適用できる。ＴＤＤが適用される際に、ＬＴＥ／ＬＴＥ−Ａにおいて、ＵＬサブフレーム及びＤＬサブフレームはサブフレームの単位に割り当てられる。
【００３４】
ＮＲにおいて、スロット内のシンボルは、ＤＬシンボル（Ｄで表される）、流動シンボル（Ｘで表される）、及びＵＬシンボル（Ｕで表される）に分類できる。ＤＬフレームのスロットにおいて、ＵＥはＤＬ送信がＤＬシンボル又は流動シンボルでのみ発生すると仮定する。ＵＬフレームのスロットで、ＵＥはＵＬシンボル又は流動シンボルでのみ送信すべきである。
【００３５】
表３は、対応するフォーマットインデックスにより識別されるスロットのフォーマットの例を示す。表３の内容は、特定のセルに共通に適用されるか、隣接セルに共通に適用されることができるか、個別に又は異なって各ＵＥに適用されることができる。
【００３６】
【表３】
2021500819.tif 000005
【００３７】
説明の便宜上、表３は、ＮＲで実際に定義されたスロットのフォーマットの一部のみを示す。特定の割り当て方式が変更又は追加され得る。ＵＥは、上位層のシグナリング（即ち、ＲＲＣ（ｒａｄｉｏ  ｒｅｓｏｕｒｃｅ  ｃｏｎｔｒｏｌ）シグナリング）を介して、スロットのフォーマットの構成を受信することができる。又は、ＵＥはＰＤＣＣＨを介して、受信されるＤＣＩ（ｄｏｗｎｌｉｎｋ  ｃｏｎｔｒｏｌ  ｉｎｆｏｒｍａｔｉｏｎ）を介してスロットのフォーマットの構成を受信することができる。又は、ＵＥは上位層のシグナリング及びＤＣＩの組み合わせを介して、スロットのフォーマットの構成を受信することができる。
【００３８】
図５は、本発明の技術的特徴が適用できるリソースグリッドの一例を示す。図５に示す例は、ＮＲで使用される時間−周波数リソースグリッドである。図５に示す例は、ＵＬ及び／又はＤＬに適用されることができる。図５を参照すると、多数のスロットが時間領域上の１つのサブフレーム内に含まれる。具体的に、「μ」の値によって表現されるとき、「１４＊２μ」のシンボルがリソースグリッドで表現されることができる。また、１つのリソースブロック（ＲＢ；ｒｅｓｏｕｒｃｅ  ｂｌｏｃｋ）は１２個の連続的な副搬送波を占めることができる。１つのＲＢはＰＲＢ（ｐｈｙｓｉｃａｌ  ｒｅｓｏｕｒｃｅ  ｂｌｏｃｋ）と呼ばれ得るものであり、１２個のリソースエレメント（ＲＥ；ｒｅｓｏｕｒｃｅ  ｅｌｅｍｅｎｔ）が各ＰＲＢに含まれる。割り当て可能なＲＢの数は、最小値と最大値に基づいて決定されることができる。割り当て可能なＲＢの数は、ヌメロロジー（「μ」）によって個別に構成されることができる。割り当て可能なＲＢの数は、ＵＬとＤＬに対して同じ値で構成されることもあり、ＵＬとＤＬに対して異なる値で構成されることもある。
【００３９】
ＮＲにおけるセルの探索方式が説明される。ＵＥは、セルと時間及び／又は周波数同期を獲得し、セルのＩＤ（ｉｄｅｎｔｉｆｉｅｒ）を獲得するためにセルの探索を行うことができる。ＰＳＳ、ＳＳＳ、及びＰＢＣＨのような同期化チャネルがセルの探索に使用されることができる。
【００４０】
図６は、本発明の技術的特徴が適用できる同期化チャネルの一例を示す。図６を参照すると、ＰＳＳ及びＳＳＳは、１つのシンボル及び１２７個の副搬送波を含むことができる。ＰＢＣＨは、３個のシンボル及び２４０個の副搬送波を含むことができる。
【００４１】
ＰＳＳは、ＳＳ／ＰＢＣＨブロック（ｓｙｎｃｈｒｏｎｉｚａｔｉｏｎ  ｓｉｇｎａｌ／ＰＢＣＨ  ｂｌｏｃｋ）シンボルのタイミング獲得に使用される。ＰＳＳはセルのＩＤ識別のための３つの仮説（ｈｙｐｏｔｈｅｓｅｓ）を指示する。ＳＳＳはセルのＩＤ識別に使用される。ＳＳＳは、３３６個の仮説を指示する。結果として、１００８個の物理層のセルのＩＤがＰＳＳ及びＳＳＳにより構成されることができる。
【００４２】
ＳＳ／ＰＢＣＨブロックは５ｍｓウィンドウ（ｗｉｎｄｏｗ）内の所定のパターンによって繰り返して送信されることができる。例えば、Ｌ個のＳＳ／ＰＢＣＨブロックが送信される場合、ＳＳ／ＰＢＣＨブロック＃１乃至ＳＳ／ＰＢＣＨブロック＃Ｌはいずれも同一の情報を含むことができるが、異なる方向のビームを介して送信されることができる。即ち、ＱＣＬ（ｑｕａｓｉ  ｃｏ−ｌｏｃａｔｅｄ）関係が５ｍｓウィンドウ内のＳＳ／ＰＢＣＨブロックに適用されないことがある。ＳＳ／ＰＢＣＨブロックを受信するのに使用されるビームは、ＵＥとネットワーク間の後続動作（例えば、ランダムアクセス動作）に使用されることができる。ＳＳ／ＰＢＣＨブロックは、特定の期間だけ繰り返すことができる。繰り返しの周期はヌメロロジーによって個別に構成されることができる。
【００４３】
図６を参照すると、ＰＢＣＨは、第２シンボル／第４シンボルに対して２０個のＲＢ、及び第３シンボルに対して８個のＲＢの帯域幅を有する。ＰＢＣＨは、ＰＢＣＨをデコーディングするためのＤＭ−ＲＳ（ｄｅｍｏｄｕｌａｔｉｏｎ  ｒｅｆｅｒｅｎｃｅ  ｓｉｇｎａｌ）を含む。ＤＭ−ＲＳに対する周波数領域は、セルのＩＤによって決定される。ＬＴＥ／ＬＴＥ−Ａとは異なり、ＣＲＳ（ｃｅｌｌ−ｓｐｅｃｉｆｉｃ  ｒｅｆｅｒｅｎｃｅ  ｓｉｇｎａｌ）がＮＲで定義されないため、ＰＢＣＨをデコーディングするための特別なＤＭ−ＲＳ（即ち、ＰＢＣＨ−ＤＭＲＳ）が定義される。ＰＢＣＨ−ＤＭＲＳは、ＳＳ／ＰＢＣＨブロックはインデックスを示す情報を含むことができる。
【００４４】
ＰＢＣＨは様々な機能を行う。例えば、ＰＢＣＨはＭＩＢ（ｍａｓｔｅｒ  ｉｎｆｏｒｍａｔｉｏｎ  ｂｌｏｃｋ）を放送する機能を行うことができる。システム情報（ＳＩ；ｓｙｓｔｅｍ  ｉｎｆｏｒｍａｔｉｏｎ）は、最小ＳＩ（ｍｉｎｉｍｕｍ  ＳＩ）とその他ＳＩ（ｏｔｈｅｒ  ＳＩ）とに分けられる。最小ＳＩは、ＭＩＢとＳＩＢ１（ｓｙｓｔｅｍ  ｉｎｆｏｒｍａｔｉｏｎ  ｂｌｏｃｋ  ｔｙｐｅ−１）とに分けられる。ＭＩＢを除いた最小ＳＩは、ＲＭＳＩ（ｒｅｍａｉｎｉｎｇ  ｍｉｎｉｍｕｍ  ＳＩ）といえる。即ち、ＲＭＳＩはＳＩＢ１を称し得る。
【００４５】
ＭＩＢは、ＳＩＢ１をデコーディングするのに必要な情報を含む。例えば、ＭＩＢはＳＩＢ１（及びランダムアクセス手続で使用されるＭＳＧ２／４、その他ＳＩ）に適用される副搬送波間隔に対する情報、ＳＳ／ＰＢＣＨブロックと後続して送信されるＲＢ間の周波数オフセットに対する情報、ＰＤＣＣＨ／ＳＩＢの帯域幅に対する情報、ＰＤＣＣＨをデコーディングするための情報（例えば、後述される探索空間／ＣＯＲＥＳＥＴ（ｃｏｎｔｒｏｌ  ｒｅｓｏｕｒｃｅ  ｓｅｔ）／ＤＭ−ＲＳ等に対する情報）を含むことができる。ＭＩＢは周期的に送信されることができ、同一の情報は８０ｍｓの時間間隔の間に繰り返して送信されることができる。ＳＩＢ１はＰＤＳＣＨを介して繰り返して送信されることができる。ＳＩＢ１は、ＵＥの初期アクセスのための制御情報及び他のＳＩＢをデコーディングするための情報を含む。
【００４６】
ＮＲでＰＤＣＣＨのデコーディングが説明される。ＰＤＣＣＨのための探索空間は、ＵＥがＰＤＣＣＨに対してブラインドデコーディンを行う領域に該当する。ＬＴＥ／ＬＴＥ−Ａにおいて、ＰＤＣＣＨに対する探索空間は、ＣＳＳ（ｃｏｍｍｏｎ  ｓｅａｒｃｈ  ｓｐａｃｅ）及びＵＳＳ（ＵＥ−ｓｐｅｃｉｆｉｃ  ｓｅａｒｃｈ  ｓｐａｃｅ）に区分される。各探索空間の大きさ及び／又はＰＤＣＣＨに含まれたＣＣＥ（ｃｏｎｔｒｏｌ  ｃｈａｎｎｅｌ  ｅｌｅｍｅｎｔ）の大きさは、ＰＤＣＣＨのフォーマットによって決定される。
【００４７】
ＮＲでは、ＰＤＣＣＨに対するリソースエレメントグループ（ＲＥＧ；ｒｅｓｏｕｒｃｅ  ｅｌｅｍｅｎｔ  ｇｒｏｕｐ）とＣＣＥが定義される。ＮＲでは、ＣＯＲＥＳＥＴの概念が定義される。具体的に、１つのＲＥＧは１２個のＲＥ、即ち、１つのＯＦＤＭシンボルを介して送信された１つのＲＢに対応する。各々のＲＥＧはＤＭ−ＲＳを含む。１つのＣＣＥは複数のＲＥＧ（例えば、６個のＲＥＧ）を含む。ＰＤＣＣＨは、１、２、４、８又は１６のＣＣＥで構成されたリソースを介して送信されることができる。ＣＣＥの個数はアグリゲーションレベル（ａｇｇｒｅｇａｔｉｏｎ  ｌｅｖｅｌ）によって決定されることができる。即ち、アグリゲーションレベルが１である場合は１ＣＣＥ、アグリゲーションレベルが２である場合は２ＣＣＥ、アグリゲーションレベルが４である場合は４ＣＣＥ、アグリゲーションレベルが８である場合は８ＣＣＥ、アグリゲーションレベルが１６である場合は１６ＣＣＥが特定のＵＥに対するＰＤＣＣＨに含まれる。
【００４８】
ＣＯＲＥＳＥＴは、１／２／３ＯＦＤＭシンボル及び多重のＲＢで定義されることができる。ＬＴＥ／ＬＴＥ−Ａで、ＰＤＣＣＨに使用されるシンボルの個数は、ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）により定義される。しかし、ＰＣＦＩＣＨはＮＲで使用されない。代わりに、ＣＯＲＥＳＥＴに使用されるシンボルの数は、ＲＲＣメッセージ（及び／又はＰＢＣＨ／ＳＩＢ１）により定義されることができる。また、ＬＴＥ／ＬＴＥ−ＡではＰＤＣＣＨの周波数帯域幅が全システム帯域幅と同一であるため、ＰＤＣＣＨの周波数帯域幅に関するシグナリングがない。ＮＲにおいて、ＣＯＲＥＳＥＴの周波数領域は、ＲＢの単位にＲＲＣメッセージ（及び／又はＰＢＣＨ／ＳＩＢ１）により定義されることができる。
【００４９】
ＮＲでＰＤＣＣＨの探索空間がＣＳＳとＵＳＳとに区分される。ＵＳＳはＲＲＣメッセージにより指示されることができるので、ＵＥがＵＳＳをデコーディングするためにはＲＲＣ接続が必要であり得る。ＵＳＳはＵＥに割り当てられたＰＤＳＣＨのデコーディングのための制御情報を含むことができる。
【００５０】
ＲＲＣの構成が完了していない場合にも、ＰＤＣＣＨはデコーディングされなければならないので、ＣＳＳが定義されなければならない。例えば、ＣＳＳはＳＩＢ１を伝達するＰＤＳＣＨをデコーディングするためのＰＤＣＣＨが構成される際に、又はＭＳＧ２／４を受信するためのＰＤＣＣＨがランダムアクセス手続で構成される際に定義されることができる。ＮＲではＬＴＥ／ＬＴＥ−Ａと同様に、ＰＤＣＣＨは特定の目的のためのＲＮＴＩ（ｒａｄｉｏ  ｎｅｔｗｏｒｋ  ｔｅｍｐｏｒａｒｙ  ｉｄｅｎｔｉｆｉｅｒ）によりスクランブリングされることができる。
【００５１】
ＮＲにおけるリソース割り当ての方式が説明される。ＮＲでは特定の個数（例えば、最大４個）の帯域幅部分（ＢＷＰ；ｂａｎｄｗｉｄｔｈ  ｐａｒｔ）が定義できる。ＢＷＰ（又は搬送波ＢＷＰ）は連続するＰＲＢの集合であり、共通ＲＢ（ＣＲＢ；ｃｏｍｍｏｎ  ＲＢ）の連続的な副集合で示すことができる。ＣＲＢ内の各ＲＢはＣＲＢ０と開始し、ＣＲＢ１、ＣＲＢ２等で示すことができる。
【００５２】
図７は、本発明の技術的特徴が適用できる周波数の割り当て方式の一例を示す。図７を参照すると、多数のＢＷＰがＣＲＢグリッドで定義されることができる。ＣＲＢグリッドの基準点（共通基準点、開始点等と言及され得る）は、ＮＲでいわゆる「ポイントＡ」と呼ばれる。ポイントＡはＲＭＳＩ（即ち、ＳＩＢ１）により指示される。具体的に、ＳＳ／ＰＢＣＨブロックが送信される周波数帯域とポイントＡとの間の周波数オフセットがＲＭＳＩを介して指示されることができる。ポイントＡはＣＲＢ０の中心周波数に対応する。また、ポイントＡは、ＮＲでＲＥの周波数帯域を指示する変数「ｋ」が０に設定される地点であり得る。図７に示す多数のＢＷＰは、１つのセル（例えば、ＰＣｅｌｌ（ｐｒｉｍａｒｙ  ｃｅｌｌ））で構成される。複数のＢＷＰは、個別に又は共通に各セルに対して構成されることができる。
【００５３】
図７を参照すると、各々のＢＷＰはＣＲＢ０からの大きさ及び開始点により定義されることができる。例えば、一番目のＢＷＰ、即ち、ＢＷＰ＃０はＣＲＢ０からのオフセットを介して開始点により定義されることができ、ＢＷＰ＃０に対する大きさを介してＢＷＰ＃０の大きさが決定できる。
【００５４】
特定の個数（例えば、最大４個）のＢＷＰがＵＥに対して構成されることができる。特定の時点で、セル別にただ特定の個数（例えば、１個）のＢＷＰのみが活性化できる。構成可能なＢＷＰの個数や活性化されたＢＷＰの個数は、ＵＬ及びＤＬに対して共通に又は個別に構成されることができる。ＵＥは活性ＤＬ  ＢＷＰでのみＰＤＳＣＨ、ＰＤＣＣＨ及び／又はＣＳＩ（ｃｈａｎｎｅｌ  ｓｔａｔｅ  ｉｎｆｏｒｍａｔｉｏｎ）ＲＳを受信することができる。また、ＵＥは活性ＵＬ  ＢＷＰにのみＰＵＳＣＨ及び／又はＰＵＣＣＨ（ｐｈｙｓｉｃａｌ  ｕｐｌｉｎｋ  ｃｏｎｔｒｏｌ  ｃｈａｎｎｅｌ）を送信することができる。
【００５５】
図８は、本発明の技術的特徴が適用できる多重のＢＷＰの一例を示す。図８を参照すると、３個のＢＷＰが構成できる。第１のＢＷＰは４０ＭＨｚ帯域にわたっていてもよく、１５ｋＨｚの副搬送波間隔が適用できる。第２のＢＷＰは、１０ＭＨｚ帯域にわたっていてもよく、１５ｋＨｚの副搬送波間隔が適用できる。第３のＢＷＰは、２０ＭＨｚ帯域にわたっていてもよく、６０ｋＨｚの副搬送波間隔が適用できる。ＵＥは３個のＢＷＰのうちの少なくとも一つのＢＷＰを活性のＢＷＰで構成することができ、活性のＢＷＰを介してＵＬ及び／又はＤＬデータ通信を行うことができる。
【００５６】
時間リソースはＤＬ又はＵＬリソースを割り当てるＰＤＣＣＨの送信時点に基づいて、時間差／オフセットを示す方式で指示されることができる。例えば、ＰＤＣＣＨに対応するＰＤＳＣＨ／ＰＵＳＣＨの開始点とＰＤＳＣＨ／ＰＵＳＣＨにより占有されるシンボルの個数が指示できる。
【００５７】
キャリアアグリゲーション（ＣＡ：ｃａｒｒｉｅｒ  ａｇｇｒｅｇａｔｉｏｎ）が説明される。ＬＴＥ／ＬＴＥ−Ａと同様に、ＣＡはＮＲで支援されることができる。即ち、連続又は不連続なコンポーネントキャリア（ＣＣ；ｃｏｍｐｏｎｅｎｔ  ｃａｒｒｉｅｒ）をアグリゲーションして帯域幅を増加させて、結果として、ビットレートを増加させることができる。各々のＣＣは（サービング）セルに対応することができ、各ＣＣ／セルはＰＳＣ（ｐｒｉｍａｒｙ  ｓｅｒｖｉｎｇ  ｃｅｌｌ）／ＰＣＣ（ｐｒｉｍａｒｙ  ＣＣ）又はＳＳＣ（ｓｅｃｏｎｄａｒｙ  ｓｅｒｖｉｎｇ  ｃｅｌｌ）／ＳＣＣ（ｓｅｃｏｎｄａｒｙ  ＣＣ）に分けられる。
【００５８】
前述したように、ＮＲではスロットのフォーマットが構成される。スロットのフォーマットは、ＲＲＣシグナリングを介して半静的に構成されることができる。ＲＲＣシグナリングを介して半静的に構成されるスロットのフォーマットが最も優先的に適用されるスロットのフォーマットに対する情報である。前記ＲＲＣシグナリングはセルを特定して送信されてもよく、更にＵＥを特定して送信されてもよい。半静的に構成されるスロットのフォーマットによって流動シンボルと決定されたシンボルは、後日、半静的構成、グループ共通のＰＤＣＣＨ、ＵＥのスケジューリングＤＣＩ等によってＤＬシンボルやＵＬシンボル等にアップデートされ得る。
【００５９】
グループ共通のＰＤＣＣＨは、グループ共通のＤＣＩが送信されるチャネルである。グループ共通のＤＣＩは、ＤＣＩのフォーマット２＿０に該当し得る。グループ共通のＰＤＣＣＨは、特定の基準により定義されたグループのＵＥに共通に送信されるチャネルである。グループは、グループ共通のＤＣＩをスクランブリングするＳＦＩ（ｓｌｏｔ  ｆｏｒｍａｔ  ｉｎｄｉｃａｔｉｏｎ）−ＲＮＴＩを介して構成されることができる。グループに含まれるＵＥは、スケジュールされたＵＥとスケジュールされていないＵＥとを含み得る。ＵＥはグループ共通のＰＤＣＣＨを介してグループ共通のＤＣＩを受信すべきであるか否かをＲＲＣシグナリングを介して別々に構成されることができる。
【００６０】
グループ共通のＤＣＩを介してグループに伝達される情報は動的ＳＦＩを含む。即ち、グループ共通のＤＣＩに含まれる動的ＳＦＩは、半静的に構成されたスロットのフォーマットで流動シンボルで定義されたリソースをＤＬシンボル又はＵＬシンボル等にアップデートすることができる。各ＵＥ別に有し得るＵＥ固有のＳＦＩの表があり、動的ＳＦＩは、該当表のインデックスに対する情報を含み得る。
【００６１】
グループ共通のＰＤＣＣＨ／ＤＣＩに関して、次のようなイシューが提起され得る。
【００６２】
（１）グループ共通のＰＤＣＣＨ／ＤＣＩを介して送信される情報が適用される時点
【００６３】
（２）グループ共通のＰＤＣＣＨ／ＤＣＩを介して送信される動的ＳＦＩが有効であるか否か、及び動的ＳＦＩが既に構成／指示されたリソースを取消及び／又は変更する方法
【００６４】
（３）互いに異なるＢＷＰ間の互いに異なるヌメロロジーを処理する方法及び／又は互いに異なるヌメロロジーを支援する複数のＵＥをグループ化する方法
【００６５】
（４）互いに異なるヌメロロジーを有するＳＵＬ（ｓｕｐｐｌｅｍｅｎｔａｌ  ＵＬ）又は搬送波にグループ共通のＰＤＣＣＨ／ＤＣＩを適用する方法
【００６６】
（５）ＤＲＸ（ｄｉｓｃｏｎｔｉｎｕｏｕｓ  ｒｅｃｅｐｔｉｏｎ）及び／又はＵＥを基本ＢＷＰに帰すことができるタイマーを運用する方法
【００６７】
（６）スロットのフォーマットを指示する方法
【００６８】
以下、前述したイシューを解決するために、本発明の実施例にかかり、グループ共通のＰＤＣＣＨ／ＤＣＩによるＵＥ及び／又はＢＳの動作の様々な側面を説明する。
【００６９】
１．グループ共通のＰＤＣＣＨ／ＤＣＩを適用する時点
【００７０】
各グループ共通のＰＤＣＣＨ／ＤＣＩに対して、これに関連するタイミングがあり得る。ＵＥは、グループ共通のＰＤＣＣＨ／ＤＣＩを介して送信される情報を該当関連するタイミングで適用し得る。タイミングは、少なくともグループ共通のＰＤＣＣＨ／ＤＣＩの処理時間よりは大きくなければならない。
【００７１】
ＳＦＩを運ぶグループ共通のＰＤＣＣＨ／ＤＣＩに対して、グループ共通のＰＤＣＣＨ／ＤＣＩを検出するためにモニターされる候補の個数によって、ＵＥ毎に処理時間が異なり得る。ＵＥ間の互いに異なる処理時間を解決するために、次の事項が考慮され得る。
【００７２】
グループ共通のＰＤＣＣＨ／ＤＣＩが送信される現在のスロットで、グループ共通のＰＤＣＣＨ／ＤＣＩに含まれるＳＦＩを適用するか否かはＵＥにかかることがある。このため、グループ共通のＰＤＣＣＨ／ＤＣＩは、常時現在のスロットではなく、次のスロットから始めるＳＦＩを含み得る。グループ共通のＰＤＣＣＨ／ＤＣＩの周期が１スロットである場合にも同様である。グループ共通のＰＤＣＣＨ／ＤＣＩが現在のスロットに対するＳＦＩを含むか、又は次のスロットから始めるＳＦＩを含むかは、ネットワークにより構成されるか、及び／又はグループ共通のＰＤＣＣＨ／ＤＣＩのためにモニターされる候補の個数によって暗示的に決定され得る。
【００７３】
グループ共通のＰＤＣＣＨ／ＤＣＩが現在のスロットに対するＳＦＩを含むと、処理時間の問題を解決するために、ＳＦＩは、現在のスロットで少なくとも最初のいくつかのシンボルでは適用されなくてもよい。例えば、ＳＦＩは現在のスロットの一番目のシンボルからグループ共通のＰＤＣＣＨ／ＤＣＩが送信されるＣＯＲＥＳＥＴの最後のシンボルでは適用されなくてもよい。或いは、ＳＦＩは、現在のスロットの一番目のシンボルからグループ共通のＰＤＣＣＨ／ＤＣＩが送信されるＣＯＲＥＳＥＴの最後のシンボル＋グループ共通のＰＤＣＣＨ／ＤＣＩの処理時間だけ適用されなくてもよい。処理時間は、ＵＥがグループ共通のＰＤＣＣＨ／ＤＣＩ（及び潜在的に同一のＱＣＬ（ｑｕａｓｉ−ｃｏｌｌｏｃａｔｉｏｎ）関係の構成）を検出するのに必要な探索空間の機会間の最小のギャップに決定され得る。処理時間はＵＥ別に異なってもよく、ＵＥが報告する能力別に異なってもよい。例えば、ＵＥが早い処理時間を支援することができることを報告すると、処理時間はＫシンボルであってもよい（例えば、Ｋ＝１）。反面、ＵＥが緩い処理時間を支援することができることを報告すると、処理時間はＰシンボル（例えば、Ｐ＝１）又は複数のシンボルであってもよい。或いは、ＵＥの能力によって、ＵＥは現在のスロットでＳＦＩを適用してもよく、適用しなくてもよい。
【００７４】
前記のような方式が適用される際、グループ共通のＰＤＣＣＨ／ＤＣＩが送信されるリソースが明確に定義される必要がある。次のオプションが考慮され得る。
【００７５】
−  オプション１：グループ共通のＰＤＣＣＨ／ＤＣＩはただ半静的に構成されたＤＬリソースでのみ送信されることができる。従って、ＵＥはグループ共通のＰＤＣＣＨ／ＤＣＩを読むべきであるリソースがＤＬリソースであることが分かる。
【００７６】
−  オプション２：ＵＥは、ＳＦＩが適用されないシンボルに対してはいかなる仮定もすることができず、ＵＥは該当シンボルを半静的スロットのフォーマットの構成による流動リソースとして取り扱うことができる。例えば、ＵＥは、ＳＦＩが該当リソースで送信されないことと決定できる。該当リソースがＣＳＩ  ＲＳ構成を含む場合、ＵＥは該当リソースがグループ共通のＰＤＣＣＨ／ＤＣＩを介して送信されるＳＦＩによって有効であるか、又は有効ではないかを決定することができない。ＵＥが半静的スロットのフォーマットの構成による流動リソースでＣＳＩ  ＲＳリソースが有効なものと決定すると、ＵＥはＳＦＩが適用されないシンボルでもＣＳＩ  ＲＳリソースが有効なものと決定できる。即ち、ＣＳＩ  ＲＳ構成は、半静的スロットのフォーマットの構成による流動シンボルに対する動作に従うことができる。
【００７７】
或いは、ＵＥはグループ共通のＰＤＣＣＨ／ＤＣＩが送信されるリソースがグループ共通のＰＤＣＣＨ／ＤＣＩを介して送信されるＳＦＩにより有効であるか、又は有効ではないかを決定することができる。即ち、グループ共通のＰＤＣＣＨ／ＤＣＩの処理時間のためのリソースは、グループ共通のＰＤＣＣＨ／ＤＣＩが受信されないリソースとみなされ得る。例えば、処理時間が１シンボルであると、グループ共通のＰＤＣＣＨ／ＤＣＩのためのリソース及び追加の１シンボルでＳＦＩが検出されないものとみなされ得る。この場合、同一の動作がグループ共通のＰＤＣＣＨ／ＤＣＩが送信されるリソースに適用されることができる。例えば、ＵＥが制御チャネルをモニターする間に測定を行わなければ、該当リソースでも同様に測定が行われないことがある。
【００７８】
−  オプション３：ＵＥはグループ共通のＰＤＣＣＨ／ＤＣＩが送信されるリソースを以前のＳＦＩによってＵＬリソースに指示されない限り、ＤＬリソースと仮定することができる。従って、ＣＳＩ  ＲＳ構成は、該当リソースで有効であり得る。これは、ＳＦＩがただＤＬリソースからのみ検出されることができるという仮定をベースとして、ネットワークは必要な処理時間もやはりＤＬリソースで構成されていることを確信することができる。ＵＥは実際に指示されるリソースに関係なく、グループ共通のＰＤＣＣＨ／ＤＣＩが送信されるリソースをＤＬリソースとみなし得る。
【００７９】
或いは、処理時間が取り消され得る。一般に、リソースの取り消しはある程度の処理時間を必要とする。ＳＰＳ（ｓｅｍｉ−ｐｅｒｓｉｓｔｅｎｔ  ｓｃｈｅｄｕｌｉｎｇ）リソースで一番目のリソースの機会を含む動的スケジューリングに対して、ＳＦＩが該当リソースのリソース方向を変更するために使用可能な最小の時間が処理時間によって決定されることができる。前記処理時間は、ｋ０、ｋ１、ｋ２、又はｋ２＋ＵＣＩ（ｕｐｌｉｎｋ  ｃｏｎｔｒｏｌ  ｉｎｆｏｒｍａｔｉｏｎ）の処理時間のうちいずれかであってもよい。ＵＥは、リソースの方向が変更されないと期待される動作を行うことができる。また、ＵＥは測定リソースｎからｋ０の以前にＳＦＩが使用可能であれば、ＳＦＩによって測定を行うか、省略し得る。また、ＵＥはＤＬの受信のためのリソースｎからｋ０の以前にＳＦＩが使用可能であれば、ＤＬの受信を省略し得る。
【００８０】
ＵＥが必要な処理時間の以前にＳＦＩを得ることができない場合、ＵＥはＳＦＩが使用可能ではないことを認識し、ＳＦＩによる動作が行われなくてもよい。動的スケジューリングは、常時半静的測定の構成より優先され得るものであり、取り消されるか活性化され得る。タイプ２のリソースの一番目の機会はＵＥを特定して指示された動的リソース／スケジューリングに従うことができる。
【００８１】
ＢＷＰの変更がＳＦＩと関連して発生し得る。この際、ＢＷＰの変更が発生する有効時間は、スケジューリングが有効になる時間であってもよい。
【００８２】
要約すると、本発明の一実施例により次のように提案され得る。
【００８３】
−  動的に指示されるリソースに対して、ＳＦＩがグラントの時点で使用可能でなければ、リソースの方向は変更されることができない。
【００８４】
−  半静的に指示されるＤＬリソースに対して、ＳＦＩから得られる同一のシンボル情報が適用できる。しかし、ＳＦＩの処理時間が考慮される必要がある。
【００８５】
−  半静的に指示されるＵＬリソース（例えば、ＰＵＣＣＨ、ＳＲ（ｓｃｈｅｄｕｌｉｎｇ  ｒｅｑｕｅｓｔ）、ＣＳＩ、グラントなしのリソース等）に対して、ＳＦＩは必要な処理時間の以前に使用可能である際に適用されることができる。例えば、必要な処理時間は、グラントなしのリソースに対してｋ２、ＣＳＩ及び／又はＣＳＩのみのためのＰＵＣＣＨに対してｋ２、ＳＲ及び／又はＳＰＳ／ＣＳＩに対するＨＡＲＱ（ｈｙｂｒｉｄ  ａｕｔｏｍａｔｉｃ  ｒｅｐｅａｔ  ｒｅｑｕｅｓｔ）−ＡＣＫ（ａｃｋｎｏｗｌｅｄｇｅｍｅｎｔ）のためのＰＵＣＣＨに対してｋ２であってもよく、ｋ１もまた考慮され得る。即ち、ＵＬで必要な処理時間は、常時ｋ２であるか、又はＵＣＩのタイプに応じてｋ１とｋ２の最大値であってもよい。或いは、必要な処理時間はネットワークにより構成され得る。
【００８６】
−  処理時間のための遅延が明確に定義される必要がある。遅延は、時点ｔと時間ｎ０との間の時間と測定されることができる。時点ｔは、ＵＥがＳＦＩのデコーディングを終えて、ＳＦＩが使用可能になると予想される時点である。Ｔは、ｎ０（ＳＦＩの受信時点）＋ｋ３と決定されることができる。ｋ３は、同一のＱＣＬ関係にある同一のＤＣＩフォーマットをモニターするための探索空間の間の最小時間であってもよい。或いは、ｋ３は、グループ共通のＰＤＣＣＨ／ＤＣＩを処理するためのＵＥの能力及び／又は他のＰＤＣＣＨを処理するためのＵＥの能力によって決定され得る。時点ｎ０は、ＵＥがＳＦＩを受信し、ＳＦＩが使用可能になった時点である。
【００８７】
動作をより簡単にするために、スケジューリングＤＣＩが受信される際にタイミングが決定でき、ＳＦＩが使用可能であれば、スケジューリングＤＣＩは取り消され得る。半静的に構成されたリソースに対して、半静的に構成されたタイミングはＵＥの処理時間と異なり得る。即ち、ＣＳＩに対して、ＳＦＩは少なくとも基準のＲＳでは使用可能であるべきである。異なる信号に対して、ＵＥの基本タイミングが処理時間とみなされ得る。即ち、初期のアクセスで使用される基本タイミングがＵＥの能力の代わりに処理時間を決定するのに使用され得る。これによって、全てのＵＥが同一のタイミングを適用することができる。
【００８８】
−  各ＵＥは互いに異なる処理時間を有してもよく、よって、あるＵＥに対しては、リソースの取り消しが有効ではないことがある。これを処理するために、グループ共通のＰＤＣＣＨ／ＤＣＩが重なる部分で繰り返されて送信され得る。例えば、スロットｎは、スロットｎからスロットｎ＋ｋを指示してもよく、スロットｎ＋ｋ／２は、スロットｎ＋ｋ／２からスロットｎ＋ｋ＋ｋ／２を指示してもよい。この際、開始地点は、グループ共通のＰＤＣＣＨ／ＤＣＩが受信される現在のスロットであってもよく、ＳＦＩの適用は指示されるスロットの個数によって異なってもよい。
【００８９】
２．互いに異なるヌメロロジーの処理
【００９０】
ＵＥが複数のＢＷＰの構成を受けると、グループ共通のＰＤＣＣＨ／ＤＣＩがモニターされるＣＯＲＥＳＥＴ及び／又は探索空間のグループが互いに異なって構成され得る。ＵＥは、グループ共通のＰＤＣＣＨ／ＤＣＩをモニターするために、各ＢＷＰ別に互いに異なるＲＮＴＩ及びインデックスの構成を受けることができる。グループ共通のＰＤＣＣＨ／ＤＣＩのモニタリングの周期は、ＢＷＰ別に個別に構成されるか、及び／又は基準のヌメロロジーに基づいてＵＥ別に組み合わせて構成し得る。基準のヌメロロジーは、ＳＳ／ＰＢＣＨブロックのヌメロロジー及び／又はＲＭＳＩのヌメロロジー及び／又はグループ共通のＰＤＣＣＨ／ＤＣＩのヌメロロジーのうちいずれかであってもよい。これによって、ＳＦＮ（ｓｙｓｔｅｍ  ｆｒａｍｅ  ｎｕｍｂｅｒ）０から始めて、ＵＥはＢＷＰの変更に関係なく、グループ共通のＰＤＣＣＨ／ＤＣＩをモニターすることができる。
【００９１】
グループ共通のＰＤＣＣＨ／ＤＣＩを介して送信されるＳＦＩは、指示される情報に対してヌメロロジーに関係なく適用されることができる。例えば、１５ｋＨｚの副搬送波間隔に基づいて１０スロットに対するＳＦＩが送信され、ＵＥが中間に３０ｋＨｚの副搬送波間隔を有するＢＷＰに変更すると、以前に受信したＳＦＩが３０ｋＨｚの副搬送波間隔に基づいて２０スロットに対して適用されることができる。また、同一のグループ共通のＰＤＣＣＨ／ＤＣＩのモニタリングの周期であれば、ＵＥは２０スロットの中間で新しいＳＦＩを受信することを期待してもよい。新しいＳＦＩは、流動シンボル及び／又はＤＬ／ＵＬシンボルを更にアップデートし得る。
【００９２】
即ち、グループ共通のＰＤＣＣＨ／ＤＣＩのモニタリングの周期は、グループ共通のＰＤＣＣＨ／ＤＣＩのヌメロロジーに基づいて構成されてもよく、ＢＷＰ別に同一であるか、異なる周期が構成されてもよい。グループ共通のＰＤＣＣＨ／ＤＣＩ及び／又はＳＦＩの構成によって、グループ共通のＰＤＣＣＨ／ＤＣＩのモニタリングの周期がＥＵ別に構成されてもよく、グループ共通のＰＤＣＣＨ／ＤＣＩのヌメロロジーに基づいて適用されてもよい。ネットワークがＢＲＰ別に互いに異なるグループ共通のＰＤＣＣＨ／ＤＣＩのモニタリングの周期を使用することを希望であれば、別個の構成もやはり考慮され得る。また、モニタリングの周期がＰＩ（ｐｕｎｃｔｕｒｉｎｇ  ｉｎｄｉｃａｔｉｏｎ）にも適用され得る。
【００９３】
即ち、次の事項が考慮され得る。
【００９４】
−  ＵＥは、使用されるヌメロロジーによって互いに異なる絶対時間を定義することができるモニタリングの周期の構成を受けることができる。モニタリングの周期は、グループ共通のＰＤＣＣＨ／ＤＣＩのヌメロロジーに基づいて決定されることができる。或いは、同一のモニタリングの周期を維持しつつ、各ヌメロロジー別に互いに異なるＳＦＩの表が構成され得る。即ち、１つのモニタリングの周期内に各ヌメロロジー別に互いに異なる個数のスロットが含まれ得る。
【００９５】
−  モニタリングの周期は、与えられたヌメロロジーに対してＳＦＮ０から適用され得るものであり、ＳＦＮ＝１０２４又は他のＳＦＮ（例えば、ＳＮＦ＝１０）でラップアラウンド（ｗｒａｐ−ａｒｏｕｎｄ）が発生し得る。
【００９６】
−  グループ共通のＰＤＣＣＨ／ＤＣＩを介して送信されるＳＦＩは、送信に使用されるヌメロロジーに基づいて、複数のスロット及び／又は複数のスロットに対応する時間区間で適用され得る。
【００９７】
−  ＵＥが中間にヌメロロジー及び／又はＢＷＰを変更すると、ＵＥは複写（ｄｕｐｌｉｃａｔｅ）情報を受信することができる。
【００９８】
−  潜在的に互いに異なるモニタリングの周期及び／又はオフセットを有し得る探索空間の集合と共に、別個のＣＯＲＥＳＥＴがＢＷＰ別に構成されることができる。
【００９９】
ＢＷＰの変更が発生すると、グループ共通のＰＤＣＣＨ／ＤＣＩを適用するか否か、及び／又は、適用すれば、どのように適用するかが明確に定義される必要がある。次のオプションが考慮され得る。
【０１００】
−  オプション１：以前のＢＷＰで受信したＳＦＩが変更されたＢＷＰでも有効であり得る。ＳＦＩは変更されたＢＷＰのヌメロロジーに基づいて異なって適用され得る。
【０１０１】
−  オプション２：以前のＢＷＰで受信したＳＦＩは、変更されたＢＷＰでは無視されてもよい。即ち、グループ共通のＰＤＣＣＨ／ＤＣＩが構成されないものとみなされるか、又はＳＦＩが受信されないエラーが発生したものとみなされ得る。
【０１０２】
以前のＢＷＰで受信したＳＦＩを変更されたＢＷＰで適用する際、次の事項が考慮され得る。以下の説明でヌメロロジーＸに基づくＳＦＩをヌメロロジーＹを有する新しいＢＷＰで適用することを説明する。
【０１０３】
（１）Ｙ＜Ｘ又はＹ＝Ｘ／ｋ（例えば、Ｘ＝３０ｋＨｚ、Ｙ＝１５ｋＨｚ、ｋ＝２）
【０１０４】
ヌメロロジーＸに基づいてｎ個のスロットの周期内に同一の個数のＳＦＩが構成され、ｎ／ｋ個のスロットがヌメロロジーＹに対応する際、次のオプションが考慮され得る。
【０１０５】
−  オプション１：ヌメロロジーＸに基づく１つのスロットに適用されるスロットのフォーマットは、ヌメロロジーＹに基づく１つのスロットにそのまま適用され得る。即ち、ヌメロロジーＸに基づく１つのスロットの各シンボルは、ヌメロロジーＹに基づく１つのスロットの各シンボルにそのままマッチングされ得る。この場合、ヌメロロジーＹに基づくＳＦＩが別に構成されると、ｎ−ｎ／ｋ個のスロットに対するＳＦＩは指示される必要がない。１つのＳＦＩがヌメロロジーＸとＹに全て適用されると、ヌメロロジーＹに対して（ｎ／ｋ  ％  ｋ）＝０に対応するスロットは、ヌメロロジーＹに基づくスロットのＳＦＩを運ぶことができる。例えば、ヌメロロジーＸに基づくＳＦＩの第１のスロット（スロットインデックス０）は、ヌメロロジーＹに基づく第１のスロットを指示することができ、ヌメロロジーＸに基づくＳＦＩのｋ−１のスロットは使用されなくてもよい。このようなエントリーは、「適用されない」のような基本値に設定されることができる。例えば、３０ｋＨｚの副搬送波間隔を使用するアンペアド搬送波と共に１５ｋＨｚの副搬送波間隔を使用するＳＵＬの搬送波が指示されると、毎２スロット毎にＳＵＬの搬送波のための「適用されない」のエントリーが使用できる。
【０１０６】
−  オプション２：互いに異なるヌメロロジーに対して、スロットの個数が互いに異なってもよく、ヌメロロジーＹに対しては、ｎ／ｋのスロットが指示され、ヌメロロジーＸに対してはｎスロットが指示され得る。表で適切なＳＦＩエントリーが選択され、複数の表は互いに異なる周期を有し得る。これを支援するために、ＳＦＩの表の同一のインデックスがヌメロロジー別に互いに異なって解釈され得る。ＵＥは、各ヌメロロジー別に別個のＳＦＩエントリーを構成されることができる。同一のＳＦＩエントリーに対して、ヌメロロジーによって指示されるスロットの個数が異なり得る。グループ共通のＰＤＣＣＨ／ＤＣＩが送信されるスロットから始めて、異なる個数のスロットが指示され得る。
【０１０７】
−  オプション３：ヌメロロジーＹのＳＦＩは、ヌメロロジーＸに基づくことができる。この際、ヌメロロジーＸでｋ個のＤＬシンボルはヌメロロジーＹでＤＬシンボルに変換され得る。ＵＬシンボル又は流動シンボルも同様である。ヌメロロジーＸでｋ個のシンボルがＤＬシンボルと流動シンボルを含むと、ヌメロロジーＹでＤＬシンボル又は流動シンボルに変換され得る。ＵＬシンボル又は流動シンボルも同様に処理され得る。また、ヌメロロジーＸでｋ個のシンボルがＤＬシンボルとＵＬシンボルを含むと、ヌメロロジーＹで流動シンボルに変換されるか、又はエラーが発生したものとみなされ得る。例えば、Ｘ＝３０ｋＨｚ、Ｙ＝１５ｋＨｚであり、ヌメロロジーＸでＤＬ又はＵＬシンボルが指示されると、ヌメロロジーＹで同一のシンボルに対してＤＬ又はＵＬシンボルとみなされ得る。即ち、ヌメロロジーＸでスロット０のスロットのフォーマットが２つの変換地点を有する“Ｄ．．．ＸＤ．．．Ｕ”で構成されると、ヌメロロジーＸでの“ＤＸ”“ＸＤ”“ＵＸ”“ＸＵ”はそれぞれヌメロロジーＹでＤＬシンボル、ＤＬシンボル、ＵＬシンボル、及びＵＬシンボルに指示され得る。
【０１０８】
即ち、ヌメロロジーＸでｋ個のシンボルに対するＳＦＩは、ヌメロロジーＹで１つのシンボルに適用され得る。ヌメロロジーＸでｋ個のシンボルがＤＬシンボル又はＵＬシンボルを含むと、ヌメロロジーＹで１つのシンボルがＤＬシンボル又はＵＬシンボルとみなされ得る。或いは、ヌメロロジーＸでｋ個のシンボルが流動シンボルを含むと、ヌメロロジーＹで１つのシンボルが流動シンボルとみなされ得る。ヌメロロジーＸでｋ個のシンボルがＤＬシンボル及びＵＬシンボルを含むと、これは有効ではないＳＦＩエントリーとみなされ得る。
【０１０９】
しかし、これによって、ＳＦＩフォーマットの構成されたＳＦＩエントリーで支援されないＳＦＩが生じ得る。即ち、ヌメロロジーＹに適用される変換されたＳＦＩエントリーがＳＦＩの表にないことがある。例えば、ヌメロロジーＸに対して、ＳＦＩが“ＤＤＤＤＤＤＤＤＤＤＸＸＸＸＸＵ．．．Ｕ”を指示すると、ヌメロロジーＹに対して、該当ＳＦＩは“ＤＤＤＤＤＸＸＵ．．．Ｕ”を指示することができるが、変換されたＳＦＩはＳＦＩの表によって支援されてもよく、支援されなくてもよい。即ち、ヌメロロジーＹで解釈されたＳＦＩがＳＦＩになくてもよく、これは、エラーが発生したものとみなされ得る。
【０１１０】
或いは、変換されたＳＦＩをカバーすることができるようにＳＦＩの表がヌメロロジーＹで解釈されたＳＦＩのマッピングを全て含み得る。例えば、３０ｋＨｚの副搬送波間隔での２つの変換地点を含むＳＦＩは、１５ｋＨｚの副搬送波間隔での４つの変換地点を含むＳＦＩに対応し得る。このようなＳＦＩは支援されなくてもよく、又はＳＦＩの表によって支援されてもよい。
【０１１１】
或いは、前記のようなメカニズムは、特定のＳＦＩ（例えば、２つの変換地点を含む）に対しては使用されなくてもよい。このようなＳＦＩに対しては、前述したオプション１又はオプション２が適用され得る。また、ヌメロロジーＸに基づくＳＦＩによってヌメロロジーＹで２つの変換地点を指示する効率的なメカニズムはない。これを支援するために、ヌメロロジーＸで１つの変換地点は２つのスロットに指示され得る。従って、ヌメロロジーＹに対して、２つのスロットが指示されるか、ヌメロロジーＹに対して、互いに異なるＳＦＩの表が適用され得る。
【０１１２】
−  オプション４：各ヌメロロジー別に別個のＳＦＩの表が構成できる。特に、ヌメロロジーＹに基づく搬送波のＳＦＩは、ヌメロロジーＸに基づく他の搬送波及び／又はＳＦＩと同一のインデックスに指示され得る。この際、同一のインデックスであっても、ヌメロロジーＸとＹとの間に各エントリー別に別個のＳＦＩ集合（ＳＦＩ及びスロットの個数）を構成することによって、異なって解釈され得る。もし、ＤＬとＵＬがペアドスペクトルで異なるヌメロロジーを使用すると、例えば、ヌメロロジーＸの２つのスロット及びヌメロロジーＹの１つのスロットが構成され得る。ＳＵＬの搬送波の場合にも類似の方式が適用され得る。即ち、ペアドスペクトル及びＳＵＬの搬送波で異なるヌメロロジーが使用される場合、各エントリーは、各ＳＦＩ別にヌメロロジーＸのｋ個のスロットとヌメロロジーＹの１つのスロットで構成されることができる。
【０１１３】
−  オプション５：どこでＳＦＩが指示されるか否かに関係なく、スロットのフォーマットはヌメロロジーＹに基づいて決定されることができる。これは、オプション４の各ヌメロロジー別に別個のＳＦＩの表が構成されることと類似する。或いは、各ヌメロロジー別に別個のエントリーが使用され、各エントリーはヌメロロジーによって異なる個数のスロットを指示し得る。
【０１１４】
（２）Ｙ＞Ｘ又はＹ＝Ｘ＊ｋ（例えば、Ｘ＝１５ｋＨｚ、Ｙ＝３０ｋＨｚ、ｋ＝２）
【０１１５】
ヌメロロジーＸに基づいてｎ個のスロットの周期内に同一の個数のＳＦＩが構成され、ｎ＊ｋ個のスロットがヌメロロジーＹに対応する際、次のオプションが考慮され得る。
【０１１６】
−  オプション１：ヌメロロジーＸに基づく１つのスロットに適用されるスロットのフォーマットは、ヌメロロジーＹに基づく１つのスロットにそのまま適用され得る。即ち、ヌメロロジーＸに基づく１つのスロットの各シンボルは、ヌメロロジーＹに基づく１つのスロットの各シンボルにそのままマッチングされ得る。この場合、ヌメロロジーＹに基づくＳＦＩが別に構成されると、ｎ−ｎ／ｋのスロットに対するＳＦＩは指示される必要がない。残りのｎ＊ｋ−ｎ個のスロットに対しては、指示されたＳＦＩが繰り返されて適用され得る。
【０１１７】
−  オプション２：互いに異なるヌメロロジーに対して、スロットの個数が互いに異なってもよく、ヌメロロジーＹに対しては、ｎ／ｋのスロットが指示され、ヌメロロジーＸに対しては、ｎスロットが指示され得る。表で適切なＳＦＩエントリーが選択され、複数の表は、互いに異なる周期を有し得る。
【０１１８】
−  オプション３：ヌメロロジーＹのＳＦＩは、ヌメロロジーＸに基づくことができる。この際、ヌメロロジーＸでＤＬシンボルはヌメロロジーＹでｋ個のＤＬシンボルに変換され得る。ＵＬシンボル又は流動シンボルも同様である。即ち、ヌメロロジーＸで１つのシンボルに対するＳＦＩは、ヌメロロジーＹでｋ個のシンボルに適用され得る。しかし、これによってＳＦＩフォーマットの構成されたＳＦＩエントリーで支援されないＳＦＩが生じ得る。即ち、ヌメロロジーＹに適用される変換されたＳＦＩエントリーがＳＦＩの表にないことがある。例えば、ヌメロロジーＸに対して、ＳＦＩが“ＤＤＤＤＤＤＤＤＤＸＸＸＸＸ”を指示すると、ヌメロロジーＹに対して、該当ＳＦＩは“ＤＤＤＤＤＤＤＤＤＤＤＤＤＤＤＤＤＤＸＸＸＸＸＸＸＸＸＸ”を指示し得る。変換されたＳＦＩは、ＳＦＩの表になければ、これはエラーが発生したものとみなされ得る。
【０１１９】
或いは、変換されたＳＦＩをカバーすることができるようにＳＦＩの表がヌメロロジーＹで解釈されたＳＦＩのマッピングを全て含み得る。この場合、７シンボル内には２つの変換地点があり得ないので、２つの変換地点を支援する効率的なメカニズムはない。これを支援するために、ヌメロロジーＸとＹとの間の特殊なマッピングが構成され得る。ヌメロロジーＸによって該当エントリーが選択されると、他のＳＦＩがヌメロロジーＹに対して適用され得る。例えば、ヌメロロジーＸによって“ＤＤＸＸＸＸＵ”が指示されると、これは、ヌメロロジーＹで２つの変換地点を有するＳＦＩにマッピングされ得る。
【０１２０】
−  オプション４：各ヌメロロジー別に別個のＳＦＩの表が構成できる。特に、ヌメロロジーＹに基づく搬送波のＳＦＩは、ヌメロロジーＸに基づく他の搬送波及び／又はＳＦＩと同一のインデックスに指示され得る。この際、同一のインデックスであっても、ヌメロロジーＸとＹとの間に各エントリー別に別個のＳＦＩ集合（ＳＦＩ及びスロットの個数）を構成することによって、異なって解釈され得る。もし、ＤＬとＵＬがペアドスペクトルで異なるヌメロロジーを使用すると、例えば、ヌメロロジーＸの１つのスロット及びヌメロロジーＹの２つのスロットが構成され得る。ＳＵＬの搬送波の場合にも類似の方式が適用され得る。即ち、ペアドスペクトル及びＳＵＬの搬送波で異なるヌメロロジーが使用される場合、各エントリーは各ＳＦＩ別にヌメロロジーＸの１つのスロットとヌメロロジーＹのｋ個のスロットで構成されることができる。
【０１２１】
−  オプション５：どこでＳＦＩが指示されるか否かに関係なく、スロットのフォーマットはヌメロロジーＹに基づいて決定されることができる。これは、オプション４の各ヌメロロジー別に別個のＳＦＩの表が構成されることと類似する。或いは、各ヌメロロジー別に別個のエントリーが使用され、各エントリーはヌメロロジーによって異なる個数のスロットを指示し得る。
【０１２２】
ＳＦＩがＢＷＰの変更以降にも有効であり、前述したオプション２、４、５のいずれかが使用されると、ネットワークは変更前のＢＷＰのヌメロロジーと変更後のＢＷＰのヌメロロジーとの間の一貫性を保証すべきである。この際、情報が異なると、エラーが発生したものとみなし得る。ＵＥはＳＦＩを省略し、ＳＦＩが受信されないようにリソースを処理し得る。
【０１２３】
３．ＳＵＬ及びクロスキャリア／クロスＢＷＰの処理
【０１２４】
ＦＤＤでＤＬ搬送波とＵＬ搬送波に対して別個のＳＦＩが指示され得る。即ち、ペアドスペクトルで、ＳＦＩはＤＬ搬送波とＵＬ搬送波のそれぞれに対して送信され得る。ＤＬ搬送波が２つのＵＬ搬送波と関連するか、又は複数のＤＬ搬送波が１つのＵＬ搬送波と関連する場合、ＳＦＩが明確に定義される必要がある。以下、次の事項が考慮され得る。
【０１２５】
（１）ＳＵＬのないアンペアドスペクトル（即ち、ＳＵＬのないスペクトル）
【０１２６】
−  ＳＦＩが適用されるＤＬ帯域幅とＵＬ帯域幅が構成できる。ＵＥはＳＦＩが適用され得る構成された帯域幅に属するＢＷＰの構成を受けることができる。
【０１２７】
−  アンペアドスペクトルがＤＬ帯域幅とＵＬ帯域幅とをカバーする単一の搬送波を構成する場合、ＳＦＩは該当搬送波に適用され得る。ＵＥにただＤＬ帯域幅のみが構成されると（即ち、アンペアドスペクトルでＤＬのみ存在する搬送波／ＵＬリソースは使用されない）、ＵＬリソースは流動リソースと取り扱われ得る。
【０１２８】
（２）ＳＵＬのないペアドスペクトル
【０１２９】
−  ＳＦＩが適用されるＤＬ帯域幅とＵＬ帯域幅とが構成できる。ＵＥはＳＦＩが適用され得る構成された帯域幅に属するＢＷＰの構成を受けることができる。
【０１３０】
−  ＳＦＩは帯域内のデュプレックスギャップに基づいてＤＬ及びＵＬに適用されることができる。
【０１３１】
−  帯域幅の情報と関係なく、ＤＬスペクトル及びＵＬスペクトルのための別個のＳＦＩが構成できる。或いは、ＤＬ搬送波のためのＳＦＩのみが構成できる。
【０１３２】
−  １つのＳＦＩがＤＬ／ＵＬスペクトルを全てカバーできる。この際、グループ共通のＰＤＣＣＨ／ＤＣＩはペアドスペクトル及びアンペアドスペクトルの２つの場合に対する互いに異なるＳＦＩを含み得る。例えば、各ＳＦＩは、ＤＬスペクトルに対するＳＦＩとＵＬスペクトルに対するＳＦＩとを含み得る。即ち、ＳＦＩのペイロードのサイズは、ＤＬスペクトル及びＵＬスペクトルに対してスロットのフォーマットの個数の2倍になり得る。ＳＦＩの表は、ＤＬスペクトル及びＵＬスペクトルのＳＦＩを全て含み得る。
【０１３３】
（３）ＳＵＬ帯域
【０１３４】
アンペアドＮＲの搬送波がＦＤＤ  ＳＵＬの搬送波と関連した場合、次が考慮され得る。
【０１３５】
−  ＦＤＤ  ＳＵＬの搬送波がＵＬリソースのみを有しているという仮定の下で、ＳＦＩはアンペアドＮＲの搬送波のＤＬスペクトルのみを指示することができる。
【０１３６】
−  アンペアドＮＲの搬送波とＦＤＤ  ＳＵＬの搬送波に対して別個のＳＦＩが構成できる。アンペアドＮＲの搬送波とＦＤＤ  ＳＵＬの搬送波に対するそれぞれのＳＦＩは、ＳＦＩのクロスキャリアの指示によって同一のＤＬスペクトルで送信されることができる。
【０１３７】
−  １つのＳＦＩがアンペアドＮＲ搬送波とＦＤＤ  ＳＵＬの搬送波を同時に指示することができる。例えば、アンペアドＮＲの搬送波に対するＳＦＩとＦＤＤ  ＳＵＬの搬送波に対するＳＦＩ（例えば、ＵＬシンボル又は流動シンボル）は、スロット別に結合されて指示され得る。このため、ＵＥは、ＳＦＩがＦＤＤ  ＳＵＬの搬送波に対するＳＦＩを含むか否かを構成によって知るべき必要がある。基本的に、ＵＥはアンペアドＮＲの搬送波に対するＳＦＩが放送されると期待することができ、選択的に構成された場合、ＦＤＤ  ＳＵＬの搬送波に対するＳＦＩが伝達できる。
【０１３８】
ペアドＮＲの搬送波がＦＤＤ  ＳＵＬの搬送波と関連した場合、前記と同じ方式が適用され得る。
【０１３９】
ペアド／アンペアドＮＲの搬送波がＴＤＤ  ＳＵＬの搬送波と関連した場合、ＴＤＤ  ＳＵＬの搬送波でスロットのフォーマットが複雑になり得る。ＴＤＤ  ＳＵＬの搬送波で、ＤＬ／ＵＬ／流動シンボルを含むスロットのフォーマットが使用され、１つのＳＦＩはペアド／アンペアドＮＲの搬送波に対するＳＦＩとＴＤＤ  ＳＵＬの搬送波に対するＳＦＩとを全て含み得る。或いは、ペアド／アンペアドＮＲの搬送波とＴＤＤ  ＳＵＬの搬送波に対して別個のＳＦＩが構成され得る。ＴＤＤ  ＳＵＬの搬送波に対するＳＦＩは、クロスキャリアによってスケジュールされたＳＦＩのようにペアド／アンペアドＮＲの搬送波のＤＬスペクトルで送信され得る。ＴＤＤ  ＳＵＬの搬送波に対するＳＦＩでは、ＵＬシンボル又は流動シンボルのみが使用され、ＵＥに有効なリソースで構成され得る。ＵＥがＴＤＤ  ＳＵＬの搬送波と関連したＤＬ搬送波にアクセスしないので、該当ＤＬ搬送波に対するＳＦＩは知る必要がない。
【０１４０】
要約すると、ＳＵＬの搬送波はＳＦＩの送信及び／又は他のグループ共通の送信の観点から、ペアドスペクトルの場合と同様に、別個の搬送波として取り扱われ、ＳＵＬの送信においてクロスキャリアの指示があるように処理され得る。或いは、ＳＵＬ搬送波と関連した搬送波が１つのＳＦＩエントリーのように２つの搬送波のＳＦＩを運び得る。このため、他のＳＦＩの集合が指示され得る。例えば、ＮＲの搬送波のためのＤＬ／ＵＬ／流動シンボルを指示するＳＦＩ及びＳＵＬの搬送波のためのＵＬ／流動シンボルを指示するＳＦＩがＳＵＬ搬送波と関連した搬送波を介して送信され得る。或いは、ＳＵＬの搬送波の全てのリソースが基本的にＵＬリソースであると仮定することができる。半静的構成及び／又は動的ＳＦＩによって異なって指示されない限り、ＳＵＬの搬送波の全てのリソースはＵＬリソースであり得る。
【０１４１】
４．ＤＲＸ及び基本ＢＷＰの処理
【０１４２】
ＤＲＸ又はアイドルの状態で、ＵＥはＳＦＩをモニターする必要がない。ＵＥが基本ＢＷＰでグループ共通のＰＤＣＣＨ／ＤＣＩのためのＣＯＲＥＳＥＴの構成を受けると、ＵＥはＤＲＸのオンデュレーション （ｏｎ−ｄｕｒａｔｉｏｎ）の間にグループ共通のＰＤＣＣＨ／ＤＣＩをモニターすることができる。そうでなければ、ＵＥは基本ＢＷＰでグループ共通のＰＤＣＣＨ／ＤＣＩをモニターする必要がない。ＵＥが基本ＢＷＰに戻るための条件は、次の何れかであってもよい。
【０１４３】
−  オプション１：ＵＥがユニキャストＤＬをスケジューリングするＤＣＩを受信することができず、活性のＤＬ  ＳＰＳもない場合
【０１４４】
−  オプション２：ＵＥがユニキャストＤＬ／ＵＬをスケジューリングするＤＣＩを受信することができず、活性のＤＬ／ＵＬ  ＳＰＳもない場合（基本ＢＷＰがグラントを受信するのに制限された帯域幅を有し得るので、ＵＬグラントの受信のためにさらに大きいＢＷＰを保証するためである）
【０１４５】
−  オプション３：ＵＥがユニキャストＤＬ／ＵＬをスケジューリングするＤＣＩを受信することができない場合
【０１４６】
−  オプション４：ＵＥがユニキャストＤＬをスケジューリングするＤＣＩを受信することができない場合
【０１４７】
基本ＢＷＰでグループ共通のＰＤＣＣＨ／ＤＣＩのためのＣＯＲＥＳＥＴが構成されないと、ＵＥはグループ共通のＰＤＣＣＨ／ＤＣＩが構成されないと仮定して動作できる。
【０１４８】
５．マルチスロット（又はマルチミニスロット）のスケジューリング及びグループ共通のＰＤＣＣＨ／ＤＣＩ
【０１４９】
マルチスロット（又はマルチミニスロット）にデータ及び／又は制御信号をスケジュールするにあたって、繰り返し送信がマッピングされる実際のスロットと関連した動作が明確に定義される必要がある。また、留保された、又は使用できない、又は衝突するリソースがスロット又はスロットの一部にある際、これをどのように処理するかも明確に定義される必要がある。以下の説明で、スロット又はマルチスロットはミニスロット又はマルチミニスロットに代替され得る。
【０１５０】
繰り返しが発生し得るスロットの開始地点及び終了地点（即ち、実際のスロットの個数に対応）を決定するにあたって、次の事項が考慮され得る。
【０１５１】
−  繰り返しが発生し得る有効なスロットに関係なく、繰り返しが発生し得るスロットの開始地点及び終了地点は、開始リソース及び繰り返しにより決定され得る。開始リソースはＤＣＩによって指示され得る。これによって、複数のスロットの中間で、ある繰り返しが省略されれば、繰り返しの個数が減ることがある。
【０１５２】
−  繰り返しが発生し得る有効なスロットのみが考慮され得る。ＤＣＩによって一番目に指示されるスロットは、ＳＦＩにより取り消され得るとしても、常時有効なものと考慮され得る。
【０１５３】
マルチスロットにおける繰り返し送信において、半静的ＤＬ／ＵＬスロットのフォーマットの構成のみが与えられ、グループ共通のＰＤＣＣＨ／ＤＣＩが与えられなければ、マルチスロットにおける繰り返し送信は、マルチスロットの送信のために割り当てられたリソースに対応する充分なＵＬシンボル又は流動シンボルを含むスロットで送信され得る。或いは、マルチスロットにおける繰り返し送信は、流動シンボルを除いてＵＬシンボルでのみ送信され得る。
【０１５４】
半静的ＤＬ／ＵＬスロットのフォーマットの構成とグループ共通のＰＤＣＣＨ／ＤＣＩが構成されると、マルチスロットにおける繰り返し送信は、マルチスロットの送信のために割り当てられたリソースに対応する充分なＵＬシンボルを含むスロットで送信されえる。或いは、マルチスロットにおける繰り返し送信は、リソースが半静的ＤＬ／ＵＬスロットのフォーマットの構成によりＤＬシンボル（又は流動シンボル）と指定されて取り消されない限り、グループ共通のＰＤＣＣＨ／ＤＣＩに基づいて送信され得る。
【０１５５】
グループ共通のＰＤＣＣＨ／ＤＣＩのみが構成されると、マルチスロットにおける繰り返し送信は、マルチスロットの送信のために割り当てられたリソースに対応する充分なＵＬシンボルを含むスロットで送信され得る。或いは、マルチスロットにおける繰り返し送信は、グループ共通のＰＤＣＣＨ／ＤＣＩに基づいて送信され得る。
【０１５６】
それ以外の場合には、マルチスロットにおける繰り返し送信は、どんなスロットでも送信され得る。
【０１５７】
ＤＣＩによって動的に指示されるＰＵＣＣＨリソースに対して、半静的ＤＬ／ＵＬスロットのフォーマットの構成が使用可能であれば、マルチスロットのＰＵＣＣＨは、ＰＵＣＣＨのリソース割り当てにより指示される開始シンボルから始めて、Ｎ個以上のＵＬシンボル及び／又は流動シンボルを含むスロットで送信され得る。半静的ＤＬ／ＵＬスロットのフォーマットの構成が使用可能でなければ、マルチスロットのＰＵＣＣＨはスケジューリングによってどんなスロットでも送信され得る。
【０１５８】
半静的に構成されたＰＵＣＣＨリソースに対して、グループ共通のＰＤＣＣＨ／ＤＣＩが構成されずに半静的ＤＬ／ＵＬスロットのフォーマットの構成が使用可能であれば、マルチスロットのＰＵＣＣＨは、ＰＵＣＣＨのリソース割り当てにより指示される開始シンボルから始めて、Ｎ個以上のＵＬシンボル及び／又は流動シンボルを含むスロットで送信され得る。グループ共通のＰＤＣＣＨ／ＤＣＩが構成されると、マルチスロットのＰＵＣＣＨはＰＵＣＣＨのリソース割り当てにより指示される開始シンボルから始めて、Ｎ個以上のＵＬシンボルを含むスロットで送信され得る。それ以外の場合、マルチスロットのＰＵＣＣＨは、スケジューリングによってどのスロットでも送信され得る。
【０１５９】
ｋ番の繰り返しをどのように数えるか、及び／又は処理するかに対しては、次の事項が考慮され得る。
【０１６０】
−  オプション１：動的ＳＦＩに対して、送信が省略されるか否かに関係なく、スロットの絶対個数が考慮され得る。半静的ＤＬ／ＵＬスロットのフォーマットの構成に対して、実際に送信が行われるスロットの個数が考慮され得る。
【０１６１】
−  オプション２：動的ＳＦＩ及び半静的ＤＬ／ＵＬスロットのフォーマットの構成の全てに対して、送信が省略されるか否かに関係なく、スロットの絶対個数が考慮され得る。
【０１６２】
−  オプション３：動的ＳＦＩ及び半静的ＤＬ／ＵＬスロットのフォーマットの構成の全てに対して、実際に送信が行われるスロットの個数が考慮され得る。
【０１６３】
−  オプション４：動的ＳＦＩに対して、実際に送信が行われるスロットの個数が考慮され得る。半静的ＤＬ／ＵＬスロットのフォーマットの構成に対して、送信が省略されるか否かに関係なく、スロットの絶対個数が考慮され得る。
【０１６４】
前述したオプション４は、次のように説明できる。即ち、半静的構成により送信されることができないスロット（例えば、ＤＬシンボルの存在）では、繰り返しが繰り下がるのに対して、動的ＳＦＩにより送信されることができないスロットでは繰り返しが省略され得る。
【０１６５】
これと類似のメカニズムがレートマッチング（ｒａｔｅ  ｍａｔｃｈｉｎｇ）でも適用され得る。レートマッチングがまるで半静的な動作であるように取り扱われてもよく、レートマッチングリソースもまた半静的スロットのフォーマットの構成のように取り扱われてもよい。動的に指示され得るレートマッチングリソースに対して、レートマッチングは省略されてもよく、行われてもよい。即ち、レートマッチングリソースがＵＬリソースで構成されると、レートマッチングによってリソースが充分でなければ、繰り返しが省略され得る。レートマッチングリソースがＵＬリソースで構成されると、レートマッチングが行われ得る。
【０１６６】
マルチスロットのＰＵＣＣＨのスケジューリングに対して、ＰＵＣＣＨに対して、ＰＵＣＣＨの長さがＫであり、各スロットの開始シンボルがｉであると、ＵＥは各スロットでｉ番目のシンボルとｉ＋Ｋ番目のシンボル間のＵＬシンボル及び／又は流動シンボルがあると、該当スロットでＰＵＣＣＨの送信を行うことができる。
【０１６７】
マルチスロットのＰＵＳＣＨのスケジューリングに対して、次の事項が考慮され得る。次の事項は、マルチスロットのＰＵＣＣＨのスケジューリングにも同様に適用され得る。
【０１６８】
−  オプション１：前述したマルチスロットのＰＵＳＣＨのスケジューリングと類似の方式が適用され得る。
【０１６９】
−  オプション２：連続的な時間領域のＰＵＳＣＨの送信のみを支援するために、ＰＵＳＣＨはＤＭ−ＲＳが送信さえされれば、Ｋより小さい数の連続したＵＬシンボル及び／又は流動シンボルを有するスロットで送信され得る。即ち、ＰＵＳＣＨの送信区間はＫより短いことがある。
【０１７０】
−  オプション３：ＰＵＳＣＨの送信のみ、時間領域で不連続であってもよい。ＰＵＳＣＨは、ＤＭ−ＲＳがＵＬシンボル及び／又は流動シンボルで送信さえされれば、スロットで送信され得る。即ち、ＰＵＳＣＨの送信区間はＫと同一であってもよい。
【０１７１】
ＰＵＣＣＨ及びＰＵＳＣＨに対して、最後の１つ又は２つのシンボルがパンクチャリング又はレートマッチングされ得る。これは、半静的レートマッチングリソースの構成及び／又は半静的スロットのフォーマットの構成及び／又は動的ＳＦＩによって支援され得る。例えば、ＵＥは、ＰＵＣＣＨ／ＰＵＳＣＨを半静的に構成されたＵＬリソースで送信してもよく、ＵＥはＰＵＣＣＨ／ＰＵＳＣＨのために指示されたシンボルから始めて、Ｋ個のＵＬシンボル及び／又はＫ−２個のＵＬシンボルより多い数のシンボルを含むスロットでＰＵＣＣＨ／ＰＵＳＣＨを送信してもよい。
【０１７２】
６．レートマッチングリソース及び／又は半静的スロットのフォーマットの構成及び／又は動的ＳＦＩを考慮した単一スロット、マルチスロット、単一ミニスロット、及び／又はマルチミニスロットにおける時間領域のリソース割り当て
【０１７３】
タイプ１／２のような半静的構成によるリソース割り当て又は半静的構成によるＰＵＣＣＨのリソース割り当て又はＤＣＩによって動的に指示されるリソース割り当てなどの様々な種類のスケジューリングがあり、各スケジューリングは、それぞれ異なる時間領域のスケジューリング情報を含み得る。また、時間領域のスケジューリング情報がＤＬとＵＬで異なって適用されてもよい。さらに、時間領域のスケジューリング情報がどこにスケジュールされるかによって（例えば、ＭＳＧ３又は他のユニキャストの送信）、ＵＥが適用する時間領域のスケジューリング情報が互いに異なり得る。即ち、メッセージによって時間領域のスケジューリング情報の異なる適用が要求され得る。
【０１７４】
まず、多様な行動オプションが分類でき、可能な組み合わせが何であるか議論できる。議論のために、リソースはセル固有のスロットのフォーマットの構成及び／又はＵＥ固有のスロットのフォーマットの構成により指示される固定のＤＬシンボル及び固定のＵＬシンボルに分類できる。ＵＥが識別されないメッセージ（例えば、ＲＭＳＩ又はＭＳＧ３のような放送メッセージ）に対して、ＵＥ固有のスロットのフォーマットの構成は使用可能ではなくてもよい。また、グループ共通のＰＤＣＣＨ／ＤＣＩが構成されない場合、リソースは流動シンボルと指定され得る。流動シンボルは、グループ共通のＰＤＣＣＨ／ＤＣＩを介して送信されるＳＦＩによりＤＬシンボル又はＵＬシンボルに指示されると、その際に固定のＤＬシンボル及び固定のＵＬシンボルになる。ＳＦＩによって知ることができない流動シンボルは予約リソースとみなされ得る。同様に、半静的レートマッチングリソースの構成によるレートマッチングリソースは予約リソースとみなされ得る。動的指示によるレートマッチングリソースはレートマッチングリソースを動的に指示する同一のＤＣＩによりスケジューリングされたデータに対してのみ予約リソースとみなされ得る。
【０１７５】
ＵＥが１つのＴＢ（ｔｒａｎｓｐｏｒｔ  ｂｌｏｃｋ）を送信すべきであるリソースの集合が送信機会で定義されることができる。動的単一スロットのスケジューリングの場合、送信機会は開始シンボル及びスロットの期間で定義されることができる。同様に、ミニスロットの場合、ミニスロットのスケジューリング間隔／時間領域のリソースが割り当てられる方式によって、開始シンボル及びミニスロットの期間で定義されることができる。マルチスロット又はマルチミニスロットの場合、１つのスケジューリング及び／又は１つの送信周期によって複数の送信機会があり得る。動的ＳＦＩ又は半静的スロットのフォーマットが構成されない場合、全てのリソースは流動シンボルとみなされ得る。
【０１７６】
また、ＲＭＳＩ／ＯＳＩ（ｏｔｈｅｒ  ＳＩ）／ＲＡＲ（ｒａｎｄｏｍ  ａｃｃｅｓｓ  ｒｅｓｐｏｎｓｅ）等のような制御チャネルのモニタリングのウィンドウにもカウンティングが適用され得る。さらに、カウンティングは制御信号とデータの間、及び／又はデータとＵＣＩの間、及び／又はグラントと動作の間等で動的に及び／又は半静的に構成されたオフセットでリソースを決定／誘導するために適用され得る。ＤＣＩにより指示された一番目の送信機会は、ＳＦＩに関係なく常時有効なものとみなされ得る。
【０１７７】
ＤＣＩにより指示された残りの送信機会に対しては、一番目の送信機会が常時送信されることができるように同一の制限が繰り返して半静的に構成されたリソースにも適用され得る。或いは、半静的に構成されたリソースは、残りの送信機会とみなされ得る。この際、ＤＣＩがＳＦＩより高い優先順位を有し、半静的スロットのフォーマットの構成よりは低い優先順位を有する場合、ＤＣＩは一番目の送信機会にのみ適用され、残りの送信機会は異なって処理され得る。或いは、ＤＣＩは全てのリソースで適用され得る。同様に、半静的に構成されたリソースの場合にも、少なくとも一番目の送信機会は保護されなければならない。即ち、タイプ１又はタイプ２の場合、毎周期Ｐ毎に一番目の送信機会は半静的スロットのフォーマットの構成によりＤＬシンボルに指示されない限り、ＳＦＩに関係なく、常時有用なリソースとみなされ得る。
【０１７８】
以下、レートマッチングリソース及び／又は半静的スロットのフォーマットの構成及び／又は動的ＳＦＩを考慮した単一スロット、マルチスロット、単一ミニスロット、及び／又はマルチミニスロットにおける時間領域のリソース割り当ての様々な側面について説明する。
【０１７９】
（１）ＵＥ動作
【０１８０】
スロット又はミニスロットで時間領域のリソース割り当てに基づいて、送信区間がＫである場合、送信機会は有効なものとみなされ得る。この際、次の事項が考慮され得る。
【０１８１】
−  オプション１：リソースはＵＬの送信のために連続したＫ個のＵＬシンボル又は流動シンボルを含み得る。或いは、リソースはＤＬの送信のために連続したＫ個のＤＬシンボル又は流動シンボルを含み得る。
【０１８２】
−  オプション２：リソースはＵＬの送信のために連続したＫ１個のＵＬシンボル又は流動シンボルを含み得る。或いは、リソースはＤＬの送信のために連続したＫ１個のＤＬシンボル又は流動シンボルを含み得る。この際、Ｋ１はＫと等しいかＫより小さくてもよい。Ｋ１はネットワークにより構成され、又は、Ｋ１＝Ｋ−２又はＫ１＝Ｋ−１のように固定され得る。
【０１８３】
−  オプション３：ＵＬでＤＭ−ＲＳリソースがＵＬシンボル及び／又は流動シンボルであるか、又はＤＬでＤＭ−ＲＳリソースがＤＬシンボル及び／又は流動シンボルでさえあれば、該当リソースは有効なリソースとみなされ得る。
【０１８４】
−  オプション４：該当リソースは常時有効なリソースとみなされ得る。例えば、毎周期Ｐ毎にＤＣＩにより指示される一番目の送信機会又は毎周期Ｐ毎にグラントなしのリソース割り当てのタイプ１又はタイプ２のリソースの一番目の送信機会は常時有効なリソースとみなされ得る。
【０１８５】
そうでないと、送信機会は有効ではないものとみなされ得る。
【０１８６】
（２）繰り返しのためのカウンティング
【０１８７】
−  オプション１：カウンティングは有効な送信機会でのみ行われ得る。
【０１８８】
−  オプション２：カウンティングは送信機会が有効か否かと関係なく、全ての送信機会で行われ得る。
【０１８９】
−  オプション３：半静的スロットのフォーマットの構成及び／又は半静的レートマッチングリソースの構成のみに基づいて決定され得る有効な送信機会でのみカウンティングが行われ得る。即ち、半静的スロットのフォーマットの構成により誘導された有効ではない送信機会ではカウンティングが省略され得る。
【０１９０】
（３）ＲＶ（ｒｅｄｕｎｄａｎｃｙ  ｖｅｒｓｉｏｎ）シーケンスのマッピング
【０１９１】
−  オプション１：ＲＶシーケンスは有効な送信機会でのみマッピングされ得る。
【０１９２】
−  オプション２：ＲＶシーケンスは送信機会が有効か否かと関係なく、全ての送信機会でマッピングされ得る。
【０１９３】
−  オプション３：ＲＶシーケンスはカウンティングされたリソースでのみマッピングされ得る。
【０１９４】
−  オプション４：タイプ１又はタイプ２のリソースが繰り返しと共に構成される場合、送信が最初の送信機会ではない送信機会から始まると、ＲＶシーケンスは曖昧性を減らすために初期の送信機会から送信されるようにマッピングされ得る。
【０１９５】
（４）信頼性の処理
【０１９６】
信頼性の要求事項によって、異なる動作が考慮され得る。信頼性が重要な場合には、実際に送信が行われた送信機会をカウンティングするように構成されてもよく、反面、正常の場合には全ての有効な送信機会をカウンティングするように構成されてもよく、スペクトル効率モードでリソースが有効であるか否かに関係なく、全ての送信機会をカウンティングするように構成されてもよい。
【０１９７】
カバレッジ及び／又は信頼性の要求事項を処理するために、グラントなしのリソース及び／又はグラントベースの送信に対して繰り返し送信が構成され得る。有効ではないリソースにより、特定の場合、ＵＥが構成された繰り返し回数を送信することができることを保証し難いことがある。ＵＥが許容された繰り返し回数を送信することができるようにするために、ＵＥは動的に指示／構成されるか、半静的に構成された場合、送信を延期し得る。これは、実際に送信が行われた送信機会のみカウンティングすることと類似する。即ち、ＵＥは状況によって異なるカウンティングメカニズムで構成され得る。グラントなしのリソースの場合、これは半静的に構成され得る。
【０１９８】
また、ＵＥが潜在的な繰り返しを収容するために、より大きい周期を有するように構成されると、前記のように送信を延期するか及び／又は実際に送信が行われた送信機会のみカウンティングすることになると、該当延期された送信が次の周期の送信機会と重なって送信され得る。従って、送信の延期はタイプ１／２類型のリソースの構成に対する周期内でのみ許容され得る。
【０１９９】
タイプ１／２のリソースで、ＵＥが送信し得る一番目の送信機会（周期Ｐ内で任意の送信機会で送信できる場合）は有効ではないことがある。この際、一番目の送信機会がＲＶ＝０と関連すると、ＵＥは該当一番目の送信機会での送信を省略し、有効であり、かつＲＶ＝０にマッピングされ得る次の送信機会から始めて送信できる。カウンティングが送信と整列されるように構成された場合、該当時点からカウンティングが行われ得る。
【０２００】
或いは、ネットワークがバッファを適切に処理することができると仮定すると、リソースに基づいて、又はカウンティングに基づいて決定された任意のＲＶシーケンスが使用され得、ＵＥはいつでも送信を開始し得る。
【０２０１】
或いは、半静的な繰り返し回数は、送信が予想される繰り返し回数を超過することができる限り、ＵＥが送信を開始することができる実際予想の繰り返し回数の二倍で構成され得る。しかし、これは使用可能なＨＡＲＱプロセスを制限し得る。
【０２０２】
或いは、動的ＳＦＩの処理のためのＵＥ動作が送信の省略と決定されると、ＵＥはＲＶシーケンスに関係なく、どこでも送信を始めることができる。動的ＳＦＩの処理のためのＵＥ動作が送信の延期と決定されると、ＵＥは一番目の送信機会でのみ送信を始めることができる。
【０２０３】
（５）スロット間のホッピング及び／又はミニスロット間のホッピング
【０２０４】
−  オプション１：スロット間のホッピング及び／又はミニスロット間のホッピングは、カウンティングされた送信機会でのみ行われ得る。
【０２０５】
−  オプション２：スロット間のホッピング及び／又はミニスロット間のホッピングは、実際の送信可否に関係なく、全ての送信機会で行われ得る。これによって、スロット間のホッピング及び／又はミニスロット間のホッピングが少なく行われるか、場合によっては全く行われないことがある。
【０２０６】
−  オプション３：スロット間のホッピング及び／又はミニスロット間のホッピングは、実際に有効な送信が行われた送信機会でのみ行われ得る。この場合、ネットワークとＵＥが有効なリソースに対して異なって判断する場合、ネットワークとＵＥ間に曖昧性が発生し得る。
【０２０７】
（６）スロット内のホッピング
【０２０８】
−  オプション１：ＤＣＩ又は半静的構成により指示される持続時間と異なる送信の持続時間を有し得る有効な送信機会で、実際の送信時間を基準にスロット内のホッピングが行われ得る。
【０２０９】
−  オプション２：実際の送信時間と関係なく、スロット内のホッピングは、常時ＤＣＩ又は半静的構成により指示される持続時間に基づいて行われ得る。
【０２１０】
（７）タイプ１又はタイプ２のリソースの構成で候補の送信機会の決定：候補の送信機会は前述した“（１）ＵＥ動作”により有効であってもよく、有効ではなくてもよい。
【０２１１】
−  オプション１：送信機会はＮ番目の周期に対して周期及びオフセットから誘導されたスロットから始め、該当スロットにおける一番目の送信機会は時間領域のリソース割り当てにより決定され得る。例えば、周期が２スロットであり、オフセットが１である場合、送信機会を決定するために毎奇数番目のスロット毎にリソース割り当てが適用され得る。
【０２１２】
繰り返しがＫ＞１である場合、残りの送信機会は次のように決定され得る。まず、時間領域のリソースが非スロットベースのスケジューリングのためのものであれば（ＤＬと同様に、ＤＭ−ＲＳタイプ又は両方を区別するための他の指示が時間領域のリソースエントリーで指示される必要がある）、スロットはＭ個の非スロットに分けられ、ここでＭはｆｌｏｏｒ（１４／Ｕ）であり、Ｕは指示されたリソースの持続期間で非スロットのスケジューリングの大きさと最も近い値（持続時間と等しいかさらに大きい）である。例えば、リソースの持続時間が１シンボルであると、Ｕは２シンボルになり、リソースの持続時間が５シンボルであると、Ｕは７シンボルになる。リソースの持続時間が４シンボルであると、構成によって非スロットがスロット０から１１及び／又はスロット２から１４で構成され得る。或いは、各非スロット単位に対して同一のリソース割り当てが適用されてもよく、指示された時間領域のリソースの開始シンボルの非スロット単位内で適用されてもよい。例えば、スロットに７シンボルを含む２つの非スロットユニットがあり、５シンボルのリソースの持続時間と共に開始シンボルが２に指示される場合、各非スロットのユニットでシンボル２とシンボル９が潜在的な開始シンボルとみなされ得る。或いは、スロットベースのスケジューリングの場合、繰り返されるスロットを介して同一の開始及び持続時間が各スロットに適用され得る。
【０２１３】
−  オプション２：スロットベースのスケジューリングの場合、オプション１と同じ方式が適用され得る。非スロットベースのスケジューリングの場合、時間領域のリソース割り当ては非スロットのスケジューリングの１つ又はそれ以上の非連続的なリソース割り当てを含み得る。例えば、１つのスロットで２つの非スロットの５シンボルの持続時間を示すために、時間領域のリソース割り当ては‘００１１１１１００１１１１１」になり得る。しかし、これは連続的な時間領域のリソース割り当てにより表現されなくてもよく、非スロットのスケジューリングの連続的な繰り返しを示すことができない。
【０２１４】
−  オプション３：持続時間に関係なく、繰り返しは単に複数のスロットにわたって発生し得る。即ち、周期がスロットより大きい場合にのみ繰り返しが可変であり得る。周期が繰り返し回数１のスロットより小さいと、持続時間の間に複数の送信機会を有し得るように、前述したオプション１で非スロットのスケジューリングと類似の方式が適用され得る。この際、非スロットのスケジューリング単位は、時間領域のリソース割り当てにより選択されるよりは周期によって決定され得る。
【０２１５】
周期Ｐ内での複数の送信機会のために、非スロットのスケジューリング単位の大きさ及び／又は非スロットのスケジューリング単位のパターンが指示され得る。例えば、持続期間が１シンボルである場合にも、非スロットのスケジューリング単位の大きさを２シンボルの代わりに７シンボルで構成し、スロットに２つの送信機会があり得る。これは、タイプ１又はタイプ２の構成に対して別途構成され得る。
【０２１６】
（８）実際の送信及び／又は受信
【０２１７】
−  オプション１：送信は有効なリソースでのみ発生し、受信も有効なリソースでのみ発生し得る。
【０２１８】
−  オプション２：送信は有効なリソースでのみ発生し、受信はカウンティングされたリソースで発生し得る。
【０２１９】
−  オプション３：送信はカウンティングされたリソースで発生し、受信もカウンティングされたリソースで発生し得る。
【０２２０】
表４は、ＵＥとネットワーク間の曖昧性を最小化すると共に、柔軟性及び／又は信頼性を保証するために、多様な処理を要約したものである。
【０２２１】
【表４−１】
2021500819.tif 000006
【０２２２】
【表４−２】
2021500819.tif 000007
【０２２３】
ノート１：ＵＥグループ共通の送信及び／又はセル固有の送信の場合、及び／又はＵＥが識別されていないか、Ｃ−ＲＮＴＩベースの送信ではない場合、グループ共通のＰＤＣＣＨ／ＤＣＩが構成されず、ＵＥ固有のスロットのフォーマットの構成が使用可能ではないものとみなされ得る。セル固有のスロットのフォーマットの構成がＯＳＩを介して伝達される場合、セル固有のスロットのフォーマットの構成は、ＯＳＩの送信前までは使用可能ではないものとみなされ得る。ＵＥがＣＯＮＮＥＣＴＥＣモードであるか、ＩＤＬＥモードであるか否かに関係なく、同一の取り扱いが必要である。従って、ＵＥが特定のチャネルをいつ受信するかに関係なく（即ち、ＩＤＬＥモードであるか、又はＣＯＮＮＥＣＴＥＤモードであるか否かに関係なく）、同一の取り扱いが適用され得る。或いは、どのＢＷＰを読んでいるかによって、異なる動作が適用され得る。例えば、ＵＥの状態に関係なく、初期のＢＷＰのチャネルは同一の取り扱いに従うのに対して、初期のＢＷＰではないＢＷＰのチャネルは、異なって処理され得る。例えば、ＯＳＩがセル固有のスロットのフォーマットの構成を送信する場合、初期のＢＷＰではないＢＷＰ内のＲＭＳＩ  ＣＯＲＥＳＥＴ／ＰＤＳＣＨに対して、カウンティング及び／又は繰り返しで固定のＵＬシンボルが省略され得る。このような動作は、ＢＷＰ毎に異なってもよい。即ち、有効なリソースを決定する際、各ＢＷＰで適用される情報が異なってもよい。初期のＤＬ／ＵＬ  ＢＷＰに対して、初期のアクセス手続と同一の情報が適用され得る。他のＤＬ／ＵＬ  ＢＷＰに対して、ＵＥがＵＥ固有のスロットのフォーマットの構成だけでなく、ＯＳＩを介してセル固有のスロットのフォーマットの構成を受信することができる。或いは、送信機会の有効性を決定するのにどの情報が使用可能であるか否かは、チャネルが送信されるＢＷＰに関係なく、表４で挙げられたチャネル別に決定され得る。フォールバックの動作のために、ＵＥは有効な送信機会を決定する際、ＵＥ固有のスロットのフォーマットの構成及び／又はグループ共通のＰＤＣＣＨ／ＤＣＩを考慮しないことがある。即ち、セル固有のスロットのフォーマットの構成のみが考慮され得る。
【０２２４】
−  ノート２：ＵＥが他のＢＷＰで再構成されるまで、ＵＥは送信のために初期のＤＬ／ＵＬ  ＢＷＰを使用することができる。ＭＳＧ４に対するＰＵＣＣＨの場合、有効な送信機会はセル固有のスロットのフォーマットの構成のみに基づいて決定されることが好ましい。ＵＥがＵＥ固有のスロットのフォーマットの構成を受信した後、ＵＥはまたＵＥ固有のスロットのフォーマットの構成を適用することができる。しかし、これによって、ＲＲＣの（再）構成段階で曖昧性が発生し得る。従って、ＵＥ固有のスロットのフォーマットの構成又はグループ共通のＰＤＣＣＨ／ＤＣＩ等他の情報の利用可能性に関係なく、初期のＤＬ／ＵＬ  ＢＷＰにはセル固有のスロットのフォーマットの構成のみが適用されることが好ましい。基本ＢＷＰにも同じ方式が適用され得、基本ＢＷＰは再構成に使用され得る。
【０２２５】
或いは、ＢＷＰに関係なく、ＣＳＳに構成された制御信号／データに対して、セル固有のスロットのフォーマットの構成のみが全てのＵＥに共通して適用され得る。即ち、ＵＥ固有のスロットのフォーマットの構成又はグループ共通のＰＤＣＣＨ／ＤＣＩが考慮されない。これは、特にＭＳＧ３の送信に必要であるかもしれない。衝突するリソースでデータの遅延またはデータの省略が使用される場合、ＣＳＳと関連した制御信号／データ（例えば、ＲＭＳＩ  ＰＤＳＣＨ、ＯＳＩ  ＰＤＳＣＨ、ＲＡＲ  ＰＤＳＣＨ、ＭＳＧ３、ＭＳＧ４、ＭＳＧ４のためのＰＵＣＣＨ等）のために使用可能なセル固有のスロットのフォーマットの構成のみが衝突するリソースを決定するのに使用され得る。
【０２２６】
図９は、本発明の一実施例に係るＵＥが動作する方法を示す。ＵＥ側で前述した本発明が本実施例に適用できる。
【０２２７】
段階Ｓ９００で、ＵＥはアンペアド搬送波のための第１のＳＦＩをネットワークから受信する。段階Ｓ９１０で、ＵＥは、前記第１のＳＦＩに基づいて前記アンペアド搬送波で第１のスロットを構成する。また、段階Ｓ９２０で、ＵＥは、ＳＵＬの搬送波のための第２のＳＦＩを前記ネットワークから受信する。段階Ｓ９３０で、ＵＥは、前記第２のＳＦＩに基づいて前記ＳＵＬの搬送波で第２のスロットを構成する。前記第１のＳＦＩと前記第２のＳＦＩは別個の情報である。
【０２２８】
前記第１のＳＦＩと前記第２のＳＦＩは同一のＤＬスペクトルを介して受信され得る。前記同一のＤＬスペクトルは、前記アンペアド搬送波のＤＬスペクトルであってもよい。前記アンペアド搬送波のＤＬスペクトルは、前記ＳＵＬの搬送波と関連し得る。前記ＳＵＬの搬送波はＦＤＤを使用してもよい。
【０２２９】
図９で説明された本発明の一実施例に係ると、アンペアドＮＲの搬送波とＦＤＤ  ＳＵＬの搬送波とが関連する際、アンペアドＮＲの搬送波に適用されるＳＦＩとＦＤＤ  ＳＵＬの搬送波に適用されるＳＦＩとが別に構成され得る。これによって、各搬送波でスロットのフォーマットが効果的に構成されることができる。
【０２３０】
図１０は、本発明の実施例が実現されるＵＥを示す。ＵＥ側で前述した本発明が本実施例に適用できる。
【０２３１】
ＵＥ１０００は、プロセッサ１０１０、メモリ１０２０、及び送受信部１０３０を含む。プロセッサ１０１０は、本明細書で説明された機能、過程及び／又は方法を実現するように構成できる。無線インターフェースプロトコルの層がプロセッサ１０１０内に実現されることができる。より具体的に、プロセッサ１０１０は、アンペアド搬送波のための第１のＳＦＩをネットワークから受信するように送受信部１０３０を制御し、前記第１のＳＦＩに基づいて前記アンペアド搬送波で第１のスロットを構成し、ＳＵＬの搬送波のための第２のＳＦＩを前記ネットワークから受信するように送受信部１０３０を制御し、前記第２のＳＦＩに基づいて前記ＳＵＬの搬送波で第２のスロットを構成する。前記第１のＳＦＩと前記第２のＳＦＩは別個の情報である。
【０２３２】
前記第１のＳＦＩと前記第２のＳＦＩは同一のＤＬスペクトルを介して受信され得る。前記同一のＤＬスペクトルは、前記アンペアド搬送波のＤＬスペクトルであってもよい。前記アンペアド搬送波のＤＬスペクトルは、前記ＳＵＬの搬送波と関連し得る。前記ＳＵＬの搬送波は、ＦＤＤを使用してもよい。
【０２３３】
メモリ１０２０はプロセッサ１０１０と連結され、プロセッサ１０１０を駆動するための様々な情報を保存する。送受信部１０３０は、プロセッサ１０１０と連結され、無線信号を送信及び／又は受信する。
【０２３４】
プロセッサ１０１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を含むことができる。メモリ１０２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、保存媒体及び／又は他の保存装置を含むことができる。送受信部１０３０は、無線周波数の信号を処理するためのベースバンド回路を含むことができる。実施例がソフトウェアとして実現される際に、前述した技法は、前述した機能を行うモジュール（過程、機能等）で実現されることができる。モジュールは、メモリ１０２０に保存され、プロセッサ１０１０によって実行されることができる。メモリ１０２０は、プロセッサ１０１０の内部又は外部にあってもよく、よく知られている多様な手段でプロセッサ１０１０と連結されてもよい。
【０２３５】
図１０で説明された本発明の一実施例にかかると、アンペアドＮＲの搬送波とＦＤＤ  ＳＵＬの搬送波が関連する際、アンペアドＮＲの搬送波に適用されるＳＦＩとＦＤＤ  ＳＵＬの搬送波に適用されるＳＦＩとが別に構成され得る。これによって、各搬送波でスロットのフォーマットが効果的に構成できる。
【０２３６】
図１１は、本発明の一実施例に係るＢＳが動作する方法を示す。ＢＳ側で前述した本発明が本実施例に適用できる。
【０２３７】
段階Ｓ１１００で、ＢＳはアンペアド搬送波のための第１のＳＦＩをＵＥへ送信する。段階Ｓ９１０で、ＢＳはＳＵＬの搬送波のための第２のＳＦＩを前記ＵＥへ送信する。前記第１のＳＦＩと前記第２のＳＦＩは別個の情報である。
【０２３８】
前記第１のＳＦＩと前記第２のＳＦＩは、同一のＤＬスペクトルを介して受信され得る。前記同一のＤＬスペクトルは、前記アンペアド搬送波のＤＬスペクトルであってもよい。前記アンペアド搬送波のＤＬスペクトルは、前記ＳＵＬの搬送波と関連し得る。前記ＳＵＬの搬送波はＦＤＤを使用してもよい。
【０２３９】
図１１で説明された本発明の一実施例にかかると、アンペアドＮＲの搬送波とＦＤＤ  ＳＵＬの搬送波が関連する際、アンペアドＮＲの搬送波に適用されるＳＦＩとＦＤＤ  ＳＵＬの搬送波に適用されるＳＦＩとが別に構成され得る。
【０２４０】
図１２は、本発明の実施例が実現されるＢＳを示す。ＢＳ側で前述した本発明が本実施例に適用できる。
【０２４１】
ＢＳ１２００は、プロセッサ１２１０、メモリ１２２０、及び送受信部１２３０を含む。プロセッサ１２１０は、本明細書で説明された機能、過程及び／又は方法を実現するように構成できる。無線インターフェースプロトコルの層がプロセッサ１２１０内に実現されることができる。より具体的に、プロセッサ１２１０は、アンペアド搬送波のための第１のＳＦＩをＵＥへ送信するように送受信部１２３０を制御し、ＳＵＬの搬送波のための第２のＳＦＩを前記ＵＥへ送信するように送受信部１２３０を制御する。前記第１のＳＦＩと前記第２のＳＦＩは別個の情報である。
【０２４２】
前記第１のＳＦＩと前記第２のＳＦＩは、同一のＤＬスペクトルを介して受信され得る。前記同一のＤＬスペクトルは、前記アンペアド搬送波のＤＬスペクトルであってもよい。前記アンペアド搬送波のＤＬスペクトルは、前記ＳＵＬの搬送波と関連し得る。前記ＳＵＬの搬送波はＦＤＤを使用してもよい。
【０２４３】
メモリ１２２０はプロセッサ１２１０と連結され、プロセッサ１２１０を駆動するための様々な情報を保存する。送受信部１２３０は、プロセッサ１２１０と連結され、無線信号を送信及び／又は受信する。
【０２４４】
プロセッサ１２１０は、ＡＳＩＣ、他のチップセット、論理回路及び／又はデータ処理装置を含むことができる。メモリ１２２０は、ＲＯＭ、ＲＡＭ、フラッシュメモリ、メモリカード、保存媒体及び／又は他の保存装置を含むことができる。送受信部１２３０は、無線周波数の信号を処理するためのベースバンド回路を含むことができる。実施例がソフトウェアとして実現される際に、前述した技法は、前述した機能を行うモジュール（過程、機能等）で実現されることができる。モジュールは、メモリ１２２０に保存され、プロセッサ１２１０によって実行されることができる。メモリ１２２０は、プロセッサ１２１０の内部又は外部にあってもよく、よく知られている多様な手段でプロセッサ１２１０と連結されてもよい。
【０２４５】
図１２で説明された本発明の一実施例にかかると、アンペアドＮＲの搬送波とＦＤＤ  ＳＵＬの搬送波が関連する際、アンペアドＮＲの搬送波に適用されるＳＦＩとＦＤＤ  ＳＵＬの搬送波に適用されるＳＦＩとが別に構成され得る。
【０２４６】
前述した例示的なシステムで、前述した本発明の特徴によって具現化できる方法は順序図に基づいて説明された。便宜上、方法は一連のステップまたはブロックで説明されたが、請求された本発明の特徴はステップまたはブロックの順序に限定されるものではなく、あるステップは他のステップと前述したことと異なる順序で、または同時に発生することができる。また、当業者であれば、順序図に示したステップが排他的でなく、他のステップが含まれるか、または順序図の一つまたはその以上のステップが本発明の範囲に影響を及ぼさず、削除できることを理解することができる。
【図１】
2021500819.tif 000008
【図２】
2021500819.tif 000009
【図３】
2021500819.tif 000010
【図４】
2021500819.tif 000011
【図５】
2021500819.tif 000012
【図６】
2021500819.tif 000013
【図７】
2021500819.tif 000014
【図８】
2021500819.tif 000015
【図９】
2021500819.tif 000016
【図１０】
2021500819.tif 000017
【図１１】
2021500819.tif 000018
【図１２】
2021500819.tif 000019
【国際調査報告】
2021500819.tif 000020
2021500819.tif 000021
2021500819.tif 000022
2021500819.tif 000023